(57)【特許請求の範囲】
【請求項１】
無線通信システムにおいて端末により行われるＶ２Ｘ（ｖｅｈｉｃｌｅ−ｔｏ−ｅｖｅｒｙｔｈｉｎｇ）転送資源マッピング方法であって、
制御情報に関連したコード化されたシンボル（Ｃｏｄｅｄ  Ｓｙｍｂｏｌ）をＰＳＳＣＨ（ＰＨＹＳＩＣＡＬ ＳＩＤＥＬＩＮＫ ＣＨＡＮＮＥＬ）上にマッピングし、及び
マッピングされた（ｍａｐｐｅｄ）前記コード化されたシンボルを利用して、前記制御情報を転送することを含んでなり、
前記制御情報は、データと共にピギーバック（Ｐｉｇｇｙｂａｃｋ）され、前記ＰＳＳＣＨに基づいて転送され、
前記ＰＳＳＣＨに含まれる資源要素に前記データをマッピングするより先に、前記ＰＳＳＣＨに含まれる資源要素に前記制御情報に関連した前記コード化されたシンボルをマッピングするものであり、
前記制御情報に関連した前記コード化されたシンボルの資源要素は、前記ＰＳＳＣＨにおける前記データの資源要素と異なるものであり、
前記制御情報に関連した前記コード化されたシンボルは、１番目の参照信号シンボルからシンボルにマッピングされることを特徴とする、方法。
【請求項２】
前記制御情報に関連したコード化されたシンボルは、参照信号シンボルと隣接した所にマッピングされることを特徴とする、請求項１に記載の方法。
【請求項３】
前記ＰＳＳＣＨ上の前記１番目の参照信号シンボル以前のシンボルと最後の参照信号シンボル以後のシンボル上には、前記制御情報に関連したコード化されたシンボルがマッピングされないことを特徴とする、請求項１に記載の方法。
【請求項４】
前記ＰＳＳＣＨは、複数の参照信号シンボルを含んでいることを特徴とする、請求項１に記載の方法。
【請求項５】
前記参照信号シンボルは、ＤＭＲＳ（Ｄｅｍｏｄｕｌａｔｉｏｎ  ｒｅｆｅｒｅｎｃｅ  ｓｉｇｎａｌ）シンボルであることを特徴とする、請求項４に記載の方法。
【請求項６】
前記制御情報は、ＭＣＳ（Ｍｏｄｕｌａｔｉｏｎ  Ａｎｄ  Ｃｏｄｉｎｇ  Ｓｃｈｅｍｅ）インデックスであることを特徴とする、請求項１に記載の方法。
【請求項７】
前記制御情報が転送される資源は、固定されたことを特徴とする、請求項１に記載の方法。
【請求項８】
端末（Ｕｓｅｒ  ｅｑｕｉｐｍｅｎｔ；ＵＥ）であって、
無線信号を送信及び受信するＲＦ（Ｒａｄｉｏ  Ｆｒｅｑｕｅｎｃｙ）部と、
前記ＲＦ部と結合して動作するプロセッサとを備えてなり、
前記プロセッサは、
無線通信システムにおいて端末により行われるＶ２Ｘ（ｖｅｈｉｃｌｅ−ｔｏ−ｅｖｅｒｙｔｈｉｎｇ）転送資源マッピング方法において、
制御情報に関連したコード化されたシンボル（Ｃｏｄｅｄ  Ｓｙｍｂｏｌ）をＰＳＳＣＨ（ＰＨＹＳＩＣＡＬ ＳＩＤＥＬＩＮＫ ＣＨＡＮＮＥＬ）上にマッピングし、及び
マッピングされた（ｍａｐｐｅｄ）前記コード化されたシンボルを利用して、前記制御情報を転送するものであり、
前記制御情報は、データと共にピギーバック（Ｐｉｇｇｙｂａｃｋ）され、前記ＰＳＳＣＨに基づいて転送され、
前記ＰＳＳＣＨに含まれる資源要素に前記データをマッピングするより先に、前記ＰＳＳＣＨに含まれる資源要素に前記制御情報に関連した前記コード化されたシンボルをマッピングするものであり、
前記制御情報に関連した前記コード化されたシンボルの資源要素は、前記ＰＳＳＣＨにおける前記データの資源要素と異なるものであり、
前記制御情報に関連した前記コード化されたシンボルは、１番目の参照信号シンボルからシンボルにマッピングされることを特徴とする、端末。
【発明の詳細な説明】
【技術分野】
【０００１】
本発明は、無線通信に関し、さらに詳細には、無線通信システムにおいて端末により行われるＶ２Ｘ制御情報ピギーバック（Ｐｉｇｇｙｂａｃｋ）方法及びこの方法を利用する端末に関する。
【背景技術】
【０００２】
ＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏ  ｃｏｍｍｕｎｉｃａｔｉｏｎ  ｓｅｃｔｏｒ）では、３世代以降の次世代移動通信システムであるＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−Ａｄｖａｎｃｅｄの標準化作業を進めている。ＩＭＴ−Ａｄｖａｎｃｅｄは、停止及び低速の移動状態で１Ｇｂｐｓ、高速の移動状態で１００Ｍｂｐｓのデータ転送レートでＩＰ（Ｉｎｔｅｒｎｅｔ  Ｐｒｏｔｏｃｏｌ）ベースのマルチメディアサービス支援を目標とする。
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ）は、ＩＭＴ−Ａｄｖａｎｃｅｄの要求事項を満たすシステム標準としてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）／ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）転送方式ベースであるＬＴＥ（Ｌｏｎｇ  Ｔｅｒｍ  Ｅｖｏｌｕｔｉｏｎ）を改善したＬＴＥ−Ａｄｖａｎｃｅｄ（ＬＴＥ−Ａ）を準備している。ＬＴＥ−Ａは、ＩＭＴ−Ａｄｖａｎｃｅｄのための有力な候補のうちの一つである。
【０００４】
最近装置間直接通信をするＤ２Ｄ（Ｄｅｖｉｃｅ−ｔｏ−Ｄｅｖｉｃｅ）技術に対する関心が高まっている。特に、Ｄ２Ｄは、公衆安全ネットワーク（ｐｕｂｌｉｃ  ｓａｆｅｔｙ  ｎｅｔｗｏｒｋ）のための通信技術として注目されている。商業的通信ネットワークは、速くＬＴＥに変化しているが、既存通信規格との衝突問題と費用側面において現在の公衆安全ネットワークは、主に２Ｇ技術に基盤している。このような技術間隙と改善されたサービスに対する要求は、公衆安全ネットワークを改善しようとする努力に続けられている。
【０００５】
公衆安全ネットワークは、商業的通信ネットワークに比べて高いサービス要求条件（信頼度及びセキュリティー性）を有し、特にセルラ通信のカバレッジが届かなかいか、又は利用できない場合にも、装置間の直接信号送受信、すなわち、Ｄ２Ｄ動作も要求している。
【０００６】
一例として、一般にＤ２Ｄ動作は、近接した機器間の信号送受信という点で多様な長所を有することができる。例えば、Ｄ２Ｄ端末は、高い転送率及び低い遅延を有し、データ通信を行うことができる。また、Ｄ２Ｄ動作は、基地局に集中するトラフィックを分散させることができ、Ｄ２Ｄ動作を行う端末が中継器として機能すると、基地局のカバレッジを拡張させる機能も行うことができる。
【０００７】
上述のＤ２Ｄ通信を拡張して車両間の信号送受信に適用でき、車両（ＶＥＨＩＣＬＥ）と関連した通信を特にＶ２Ｘ（ＶＥＨＩＣＬＥ−ＴＯ−ＥＶＥＲＹＴＨＩＮＧ）通信と呼ぶ。
【０００８】
Ｖ２Ｘにおいて「Ｘ」という用語は、ＰＥＤＥＳＴＲＩＡＮ（ＣＯＭＭＵＮＩＣＡＴＩＯＮ  ＢＥＴＷＥＥＮ  Ａ  ＶＥＨＩＣＬＥ  ＡＮＤ  Ａ  ＤＥＶＩＣＥ  ＣＡＲＲＩＥＤ  ＢＹ  ＡＮ  ＩＮＤＩＶＩＤＵＡＬ（例：ＨＡＮＤＨＥＬＤ  ＴＥＲＭＩＮＡＬ  ＣＡＲＲＩＥＤ  ＢＹ  Ａ  ＰＥＤＥＳＴＲＩＡＮ，  ＣＹＣＬＩＳＴ，  ＤＲＩＶＥＲ  ＯＲ  ＰＡＳＳＥＮＧＥＲ）、このとき、Ｖ２Ｘは、Ｖ２Ｐと表示できる）、ＶＥＨＩＣＬＥ  （ＣＯＭＭＵＮＩＣＡＴＩＯＮ  ＢＥＴＷＥＥＮ  ＶＥＨＩＣＬＥＳ）  （Ｖ２Ｖ），  ＩＮＦＲＡＳＴＲＵＣＴＵＲＥ／ＮＥＴＷＯＲＫ  （ＣＯＭＭＵＮＩＣＡＴＩＯＮ  ＢＥＴＷＥＥＮ  Ａ  ＶＥＨＩＣＬＥ  ＡＮＤ  Ａ  ＲＯＡＤＳＩＤＥ  ＵＮＩＴ  （ＲＳＵ）／ＮＥＴＷＯＲＫ  （例）  ＲＳＵ  ＩＳ  Ａ  ＴＲＡＮＳＰＯＲＴＡＴＩＯＮ  ＩＮＦＲＡＳＴＲＵＣＴＵＲＥ  ＥＮＴＩＴＹ  （例）  ＡＮ  ＥＮＴＩＴＹ  ＴＲＡＮＳＭＩＴＴＩＮＧ  ＳＰＥＥＤ  ＮＯＴＩＦＩＣＡＴＩＯＮＳ）  ＩＭＰＬＥＭＥＮＴＥＤ  ＩＮ  ＡＮ  ｅＮＢ  ＯＲ  Ａ  ＳＴＡＴＩＯＮＡＲＹ  ＵＥ））  （Ｖ２Ｉ／Ｎ）などを意味する。
【０００９】
以下の提案方式は、Ｖ２Ｘ  ＵＥ（Ｓ）が事前に指定されたチャネル（例えば、ＰＳＳＣＨ）上に、（「データ」と共に）制御（／スケジューリング）情報（例えば、「ＭＣＳ  ＩＮＤＥＸ（／ＭＯＤＵＬＡＴＩＯＮ  ＯＤＥＲ）」そして／あるいは「ＴＢＳ  ＩＮＤＥＸ（／ＴＲＡＮＳＰＯＲＴ  ＢＬＯＣＫ  ＳＩＺＥ）」）をピギーバックして転送する時、具体的なマッピング（ＭＡＰＰＩＮＧ）方法を提示する。
【発明の概要】
【発明が解決しようとする課題】
【００１０】
本発明が解決しようとする技術的課題は、無線通信システムにおいて端末により行われるＶ２Ｘ転送資源選択方法及びこれを利用する端末を提供することである。
【課題を解決するための手段】
【００１１】
本発明の一実施形態によれば、無線通信システムにおいて端末により行われるＶ２Ｘ（ｖｅｈｉｃｌｅ−ｔｏ−ｅｖｅｒｙｔｈｉｎｇ）転送資源選択方法であって、制御情報に関連したコードされたシンボル（Ｃｏｄｅｄ  Ｓｙｍｂｏｌ）をサブフレーム上にマッピングし、マッピングされた（ｍａｐｐｅｄ）前記コードされたシンボルを利用して、前記制御情報を転送するものの、前記制御情報は、データと共にピギーバック（Ｐｉｇｇｙｂａｃｋ）されて転送され、前記制御情報に関連したコードされたシンボルは、データより先にマッピングされることを特徴とする方法を提供する。
【００１２】
このとき、前記制御情報に関連したコードされたシンボルは、参照信号シンボルと隣接した所にマッピングされることができる。
【００１３】
前記制御情報に関連したコードされたシンボルは、複数の参照信号シンボルの間にマッピングされることができる。
【００１４】
このとき、前記サブフレーム上の１番目の参照信号シンボル以前のシンボルと最後の参照信号シンボル以後のシンボル上には、前記制御情報に関連したコードされたシンボルがマッピングされないことができる。
【００１５】
このとき、前記サブフレームの同一周波数上に連続的にマッピングされる前記制御情報に関連したコードされたシンボル間の間隔は、最大限離隔されることができる。
【００１６】
このとき、前記サブフレームは、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボル軸と仮像サブキャリヤ（Ｖｉｒｔｕａｌ  Ｓｕｂ−Ｃａｒｒｉｅｒ）軸により定義されることができる。
【００１７】
このとき、前記サブフレームは、前記ＳＣ−ＦＤＭＡシンボル軸上において１４個のシンボルを含み、前記サブフレームは、前記仮像サブキャリヤ軸上において１２個の仮像サブキャリヤを含むことができる。
【００１８】
このとき、前記サブフレームは、複数の参照信号シンボルを含むことができる。
【００１９】
このとき、前記参照信号シンボルは、ＤＭＲＳ（Ｄｅｍｏｄｕｌａｔｉｏｎ  ｒｅｆｅｒｅｎｃｅ  ｓｉｇｎａｌ）シンボルでありうる。
【００２０】
このとき、前記制御情報は、ＭＣＳ（Ｍｏｄｕｌａｔｉｏｎ  Ａｎｄ  Ｃｏｄｉｎｇ  Ｓｃｈｅｍｅ）インデックスでありうる。
【００２１】
このとき、前記制御情報が転送される資源は、固定された資源でありうる。
【００２２】
本発明の他の一実施形態によれば、端末（Ｕｓｅｒ  ｅｑｕｉｐｍｅｎｔ；ＵＥ）は、無線信号を送信及び受信するＲＦ（Ｒａｄｉｏ  Ｆｒｅｑｕｅｎｃｙ）部と、 前記ＲＦ部と結合して動作するプロセッサとを含むものの、前記プロセッサは、無線通信システムにおいて端末により行われるＶ２Ｘ（ｖｅｈｉｃｌｅ−ｔｏ−ｅｖｅｒｙｔｈｉｎｇ）転送資源選択方法であって、制御情報に関連したコードされたシンボル（Ｃｏｄｅｄ  Ｓｙｍｂｏｌ）をサブフレーム上にマッピングし、マッピングされた（ｍａｐｐｅｄ）前記コードされたシンボルを利用して、前記制御情報を転送するものの、前記制御情報は、データと共にピギーバック（Ｐｉｇｇｙｂａｃｋ）されて転送され、前記制御情報に関連したコードされたシンボルは、データより先にマッピングされることを特徴とする端末を提供する。
【発明の効果】
【００２３】
本発明によれば、端末は、制御情報に関連したコードされたシンボル（Ｃｏｄｅｄ  Ｓｙｍｂｏｌ）を参照信号の近くにマッピングし、前記コードされたシンボルを介して制御情報を転送することによって、制御情報を安定的に転送できる。特に、本発明では、参照信号の密度を高めることによって、‘ＰＨＡＳＥ  ＯＦＦＳＥＴ’補正及びチャネル推定性能を向上させることもできる。これによって、本発明による場合、「可変する大きさのＶ２Ｘ  ＭＥＳＳＡＧＥ（Ｓ）」が高い信頼度（ＲＥＬＩＡＢＩＬＩＴＹ）で転送されることができる。
【図面の簡単な説明】
【００２４】
【図１】本発明が適用されることができる無線通信システムを例示する。
【図２】３ＧＰＰ  ＬＴＥの無線フレーム（ｒａｄｉｏ  ｆｒａｍｅ）構造を示す。
【図３】アップリンクサブフレームの構造を示す。
【図４】ＰＵＳＣＨ上においてアップリンク制御情報がアップリンクデータと多重化される過程を示す。
【図５】ＰｒｏＳｅのための基準構造を示す。
【図６】ＰｒｏＳｅ直接通信を行う端末とセルカバレッジの配置例を示す。
【図７】ＰｒｏＳｅ直接通信のためのユーザ平面プロトコルスタックを示す。
【図８】Ｄ２Ｄ発見のためのＰＣ５インターフェスを示す。
【図９】チャネル推定に使用される参照信号の密度（／個数）が増加された場合に対する一例である。
【図１０】チャネル推定に使用される参照信号の密度（／個数）が増加された場合に対する一例である。
【図１１】チャネル推定に使用される参照信号の密度（／個数）が増加された場合に対する一例である。
【図１２】チャネル推定に使用される参照信号の密度（／個数）が増加された場合に対する一例である。
【図１３】チャネル推定に使用される参照信号の密度（／個数）が増加された場合に対する一例である。
【図１４】本発明の一実施形態による、制御情報に関連したコードされたシンボル（ＣＯＤＥＤ  ＳＹＭＢＯＬ）をサブフレーム上にマッピングさせる方法のフローチャートである。
【図１５】図９及び／又は図１１の場合に、（規則＃１−１）、（規則＃１−２）、（規則＃１−３）に従って、制御（／スケジューリング）情報関連‘ＣＯＤＥＤ  ＳＹＭＢＯＬ（Ｓ）’がマッピングされる例示である。
【図１６】図９及び／又は図１１の場合に、（規則＃１−１）、（規則＃１−２）、（規則＃１−３）に従って、制御（／スケジューリング）情報関連‘ＣＯＤＥＤ  ＳＹＭＢＯＬ（Ｓ）’がマッピングされる例示である。
【図１７】図９及び／又は図１１の場合に、（規則＃１−１）、（規則＃１−２）、（規則＃１−３）に従って、制御（／スケジューリング）情報関連‘ＣＯＤＥＤ  ＳＹＭＢＯＬ（Ｓ）’がマッピングされる例示である。
【図１８】図９及び／又は図１１の場合に、（規則＃１−１）、（規則＃１−２）、（規則＃１−３）に従って、制御（／スケジューリング）情報関連‘ＣＯＤＥＤ  ＳＹＭＢＯＬ（Ｓ）’がマッピングされる例示である。
【図１９】図９及び／又は図１１の場合に、（規則＃１−１）、（規則＃１−２）、（規則＃１−３）に従って、制御（／スケジューリング）情報関連‘ＣＯＤＥＤ  ＳＹＭＢＯＬ（Ｓ）’がマッピングされる例示である。
【図２０】図９及び／又は図１１の場合に、（規則＃１−１）、（規則＃１−２）、（規則＃１−３）に従って、制御（／スケジューリング）情報関連‘ＣＯＤＥＤ  ＳＹＭＢＯＬ（Ｓ）’がマッピングされる例示である。
【図２１】図９及び／又は図１１の場合に、（規則＃１−１）、（規則＃１−２）、（規則＃１−３）に従って、制御（／スケジューリング）情報関連‘ＣＯＤＥＤ  ＳＹＭＢＯＬ（Ｓ）’がマッピングされる例示である。
【図２２】図９及び／又は図１１の場合に、（規則＃１−１）、（規則＃１−２）、（規則＃１−３）に従って、制御（／スケジューリング）情報関連‘ＣＯＤＥＤ  ＳＹＭＢＯＬ（Ｓ）’がマッピングされる例示である。
【図２３】図９及び／又は図１１の場合に、（規則＃１−１）、（規則＃１−２）、（規則＃１−３）に従って、制御（／スケジューリング）情報関連‘ＣＯＤＥＤ  ＳＹＭＢＯＬ（Ｓ）’がマッピングされる例示である。
【図２４】図９及び／又は図１１の場合に、（規則＃１−１）、（規則＃１−２）に従って、制御（／スケジューリング）情報関連‘ＣＯＤＥＤ  ＳＹＭＢＯＬ（Ｓ）’がマッピングされる例示を示す。
【図２５】図９及び／又は図１１の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【図２６】図９及び／又は図１１の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【図２７】図９及び／又は図１１の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【図２８】図９及び／又は図１１の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【図２９】図９及び／又は図１１の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【図３０】図９及び／又は図１１の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【図３１】図９及び／又は図１１の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【図３２】図９及び／又は図１１の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【図３３】図９及び／又は図１１の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【図３４】図９及び／又は図１１の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【図３５】図９及び／又は図１１の場合に、（規則＃１−１）に従って、制御（／スケジューリング）情報関連‘ＣＯＤＥＤ  ＳＹＭＢＯＬ（Ｓ）’がマッピングされる例示である。
【図３６】図１０の場合に、（規則＃１−１）、（規則＃１−２）、（規則＃１−３）に従って、制御（／スケジューリング）情報関連‘ＣＯＤＥＤ  ＳＹＭＢＯＬ（Ｓ）’がマッピングされる例示である。
【図３７】図１０の場合に、（規則＃１−１）、（規則＃１−２）、（規則＃１−３）に従って、制御（／スケジューリング）情報関連‘ＣＯＤＥＤ  ＳＹＭＢＯＬ（Ｓ）’がマッピングされる例示である。
【図３８】図１０の場合に、（規則＃１−１）、（規則＃１−２）、（規則＃１−３）に従って、制御（／スケジューリング）情報関連‘ＣＯＤＥＤ  ＳＹＭＢＯＬ（Ｓ）’がマッピングされる例示である。
【図３９】図１０の場合に、（規則＃１−１）、（規則＃１−２）、（規則＃１−３）に従って、制御（／スケジューリング）情報関連‘ＣＯＤＥＤ  ＳＹＭＢＯＬ（Ｓ）’がマッピングされる例示である。
【図４０】図１０の場合に、（規則＃１−１）、（規則＃１−２）に従って、制御（／スケジューリング）情報関連‘ＣＯＤＥＤ  ＳＹＭＢＯＬ（Ｓ）’がマッピングされる例示である。
【図４１】図１０の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【図４２】図１０の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【図４３】図１０の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【図４４】図１０の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【図４５】図１０の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【図４６】図１０の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【図４７】図１０の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【図４８】図１０の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【図４９】図１０の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【図５０】図１０の場合に、（規則＃１−１）に従って、制御（／スケジューリング）情報関連‘ＣＯＤＥＤ  ＳＹＭＢＯＬ（Ｓ）’がマッピングされる例示である。
【図５１】制御（／スケジューリング）情報関連‘ＣＯＤＥＤ  ＳＹＭＢＯＬ（Ｓ）’の一例である。
【図５２】制御（／スケジューリング）情報関連‘ＣＯＤＥＤ  ＳＹＭＢＯＬ（Ｓ）’の一例である。
【図５３】制御（／スケジューリング）情報関連‘ＣＯＤＥＤ  ＳＹＭＢＯＬ（Ｓ）’の一例である。
【図５４】制御（／スケジューリング）情報関連‘ＣＯＤＥＤ  ＳＹＭＢＯＬ（Ｓ）’の一例である。
【図５５】制御（／スケジューリング）情報関連‘ＣＯＤＥＤ  ＳＹＭＢＯＬ（Ｓ）’がマッピングされた一例である。
【図５６】制御（／スケジューリング）情報関連‘ＣＯＤＥＤ  ＳＹＭＢＯＬ（Ｓ）’がマッピングされた一例である。
【図５７】制御（／スケジューリング）情報関連‘ＣＯＤＥＤ  ＳＹＭＢＯＬ（Ｓ）’がマッピングされた一例である。
【図５８】制御（／スケジューリング）情報関連‘ＣＯＤＥＤ  ＳＹＭＢＯＬ（Ｓ）’がマッピングされた一例である。
【図５９】図１２の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図６０】図１２の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図６１】図１２の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図６２】図１２の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図６３】制御（／スケジューリング）情報関連‘ＣＯＤＥＤ  ＳＹＭＢＯＬ（Ｓ）’がマッピングされた一例である。
【図６４】図１２の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図６５】図１２の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図６６】図１２の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図６７】図１２の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図６８】制御（／スケジューリング）情報関連‘ＣＯＤＥＤ  ＳＹＭＢＯＬ（Ｓ）’がマッピングされた一例である。
【図６９】図１２の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図７０】図１２の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図７１】図１２の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図７２】図１２の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図７３】図１２の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図７４】図１３の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図７５】図１３の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図７６】図１３の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図７７】図１３の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図７８】図１３の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図７９】図１３の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図８０】図１３の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図８１】図１３の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図８２】図１３の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【図８３】相対的に低い優先順位の制御（／スケジューリング）情報は、‘ＥＸＴＲＡ（／ＯＵＴＥＲ）−ＰＯＬＡＴＩＯＮ’基盤のチャネル推定が行われるシンボル上にマッピングされるようにし、相対的に高い優先順位の制御（／スケジューリング）情報は、‘ＩＮＴＲＡ−ＰＯＬＡＴＩＯＮ’基盤のチャネル推定が行われるシンボル上にマッピングされる一例を示したものである。
【図８４】本発明の実施形態が具現される端末を示したブロック図である。
【発明を実施するための形態】
【００２５】
図１は、本発明が適用され得る無線通信システムを例示する。これは、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）、又はＬＴＥ（Ｌｏｎｇ  Ｔｅｒｍ  Ｅｖｏｌｕｔｉｏｎ）／ＬＴＥ−Ａシステムと呼ばれることができる。
【００２６】
Ｅ−ＵＴＲＡＮは、端末１０（Ｕｓｅｒ  Ｅｑｕｉｐｍｅｎｔ、ＵＥ）にコントロールプレーン（ｃｏｎｔｒｏｌ  ｐｌａｎｅ）とユーザープレーン（ｕｓｅｒ  ｐｌａｎｅ）を提供する基地局２０（Ｂａｓｅ  Ｓｔａｔｉｏｎ、ＢＳ）とを含む。端末１０は、固定されるか、又は移動性を有することができ、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることができる。基地局２０は、端末１０と通信する固定された支点（ｆｉｘｅｄ  ｓｔａｔｉｏｎ）をいい、ｅＮＢ（ｅｖｏｌｖｅｄ-ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。
【００２７】
基地局２０は、Ｘ２インターフェースを介して互いに接続されることができる。基地局２０は、Ｓ１インターフェースを介してＥＰＣ（Ｅｖｏｌｖｅｄ Ｐａｃｋｅｔ  Ｃｏｒｅ）３０、さらに詳細には、Ｓ１-ＭＭＥを介してＭＭＥ（Ｍｏｂｉｌｉｔｙ  Ｍａｎａｇｅｍｅｎｔ  Ｅｎｔｉｔｙ）とＳ１-Ｕを介してＳ−ＧＷ（Ｓｅｒｖｉｎｇ  Ｇａｔｅｗａｙ）と接続される。
【００２８】
ＥＰＣ３０は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）から構成される。ＭＭＥは、端末の接続情報又は端末の能力に関する情報を有しており、このような情報は、端末の移動性管理に主に使用される。Ｓ−ＧＷは、Ｅ−ＵＴＲＡＮを終端点として有するゲートウェイであり、Ｐ−ＧＷは、ＰＤＮを終端点として有するゲートウェイである。
【００２９】
端末とネットワークとの間の無線インターフェースプロトコル（Ｒａｄｉｏ  Ｉｎｔｅｒｆａｃｅ  Ｐｒｏｔｏｃｏｌ）の層は、通信システムにおいて広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個層に基づいてＬ１（第１層）、Ｌ２（第２層）、Ｌ３（第３層）に区分されることができるが、この中で第１層に属する物理層は、物理チャネル（Ｐｈｙｓｉｃａｌ  Ｃｈａｎｎｅｌ）を利用した情報送信サービス（Ｉｎｆｏｒｍａｔｉｏｎ  Ｔｒａｎｓｆｅｒ  Ｓｅｒｖｉｃｅ）を提供し、第３層に位置するＲＲＣ（Ｒａｄｉｏ  Ｒｅｓｏｕｒｃｅ  Ｃｏｎｔｒｏｌ）層は、端末とネットワークとの間に無線資源を制御する役割を行う。このために、ＲＲＣ層は、端末と基地局との間のＲＲＣメッセージを交換する。
【００３０】
図２は、３ＧＰＰ  ＬＴＥの無線フレーム（ｒａｄｉｏ  ｆｒａｍｅ）構造を示す。
【００３１】
図２を参照すると、無線フレーム（ｒａｄｉｏ  ｆｒａｍｅ）は、１０個のサブフレーム（ｓｕｂｆｒａｍｅ）で構成され、一つのサブフレームは、２個のスロット（ｓｌｏｔ）で構成される。一つのサブフレームの長さは、１ｍｓで、一つのスロットの長さは、０．５ｍｓでありうる。一つのサブフレームが転送されるのにかかる時間をＴＴＩ（ｔｒａｎｓｍｉｓｓｉｏｎ  ｔｉｍｅ  ｉｎｔｅｒｖａｌ）という。ＴＴＩは、スケジューリングの最小単位でありうる。
【００３２】
一つのスロットは、時間領域において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含むことができる。ＯＦＤＭシンボルは、３ＧＰＰ  ＬＴＥがダウンリンクにおいてＯＦＤＭＡを使用するので、一つのシンボル区間（ｓｙｍｂｏｌ  ｐｅｒｉｏｄ）を表現するためのもので、他の名称で呼ばれることができる。例えば、ＳＣ−ＦＤＭＡシンボルと呼ばれることができる。一つのスロットは、７ＯＦＤＭシンボルを含むことを例示的に技術するが、ＣＰ（Ｃｙｃｌｉｃ  Ｐｒｅｆｉｘ）の長さによって一つのスロットに含まれるＯＦＤＭシンボルの数は変わることができる。３ＧＰＰによれば、ノーマル（ｎｏｒｍａｌ）ＣＰにおいて１サブフレームは、７ＯＦＤＭシンボルを含み、拡張（ｅｘｔｅｎｄｅｄ）ＣＰにおいて１サブフレームは、６ＯＦＤＭシンボルを含む。無線フレームの構造は例示に過ぎず、無線フレームに含まれるサブフレームの数及びサブフレームに含まれるスロットの数は多様に変更されることができる。
【００３３】
図３は、アップリンクサブフレームの構造を示す。
【００３４】
図３を参照すると、アップリンクサブフレームは、アップリンク制御情報を運ぶＰＵＣＣＨ（Ｐｈｙｓｉｃａｌ  Ｕｐｌｉｎｋ  Ｃｏｎｔｒｏｌ  Ｃｈａｎｎｅｌ）が割り当てられる制御領域（ｒｅｇｉｏｎ）とユーザデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられるデータ領域に分けられる。
【００３５】
一つの端末に対するＰＵＣＣＨは、サブフレームにおいて資源ブロック（ＲＢ）対（ｐａｉｒ）で割り当てられ、ＲＢ対に属するＲＢは、２個のスロットの各々で互いに異なる副搬送波を占める。これをＰＵＣＣＨに割り当てられるＲＢ対がスロット境界（ｓｌｏｔ  ｂｏｕｎｄａｒｙ）から周波数跳躍（ｆｒｅｑｕｅｎｃｙ  ｈｏｐｐｉｎｇ）されるという。
【００３６】
ＰＵＣＣＨは、多重フォーマットを支援できる。すなわち、変調方式（ｍｏｄｕａｌｔｉｏｎ  ｓｃｈｅｍｅ）に従って、サブフレーム当たりの互いに異なるビット数を有するアップリンク制御情報を転送できる。例えば、ＢＰＳＫ（Ｂｉｎａｒｙ  Ｐｈａｓｅ  Ｓｈｉｆｔ  Ｋｅｙｉｎｇ）を使用する場合（ＰＵＣＣＨフォーマット１ａ）１ビットのアップリンク制御情報をＰＵＣＣＨ上に転送でき、ＱＰＳＫ（Ｑｕａｄｒａｔｕｒｅ  Ｐｈａｓｅ  Ｓｈｉｆｔ  Ｋｅｙｉｎｇ）を使用する場合（ＰＵＣＣＨフォーマット１ｂ）２ビットのアップリンク制御情報をＰＵＣＣＨ上に転送できる。ＰＵＣＣＨフォーマットは、この他にもフォーマット１、フォーマット２、フォーマット２ａ、フォーマット２ｂなどがある。
【００３７】
図４は、ＰＵＳＣＨ上においてアップリンク制御情報がアップリンクデータと多重化される過程を示す。
【００３８】
図４を参照すると、毎ＴＴＩごとにデータビットａ0，ａ1，．．．，ａA-1は、一つの転送ブロック（ｔｒａｎｓｐｏｒｔ  ｂｌｏｃｋ）形態で与えられる。まず、データビットａ0，ａ1，．．．，ａA-1にＣＲＣ（Ｃｙｃｌｉｃ  Ｒｅｄｕｎｄａｎｃｙ  Ｃｈｅｃｋ）パリティビットｐ0，ｐ1，．．．，ｐL-1が付加されて、ＣＲＣ付加ビットｂ0，ｂ1，．．．，ｂB-1が生成される（Ｓ２００）。ここで、Ｂ＝Ａ＋Ｌである。ａkとｂkの関係は、次のように表すことができる。
【００３９】
【数１】
0006942812.tif 000002
【００４０】
ＣＲＣ付加ビットｂ0，ｂ1，．．．，ｂB-1がコードブロック（ｃｏｄｅ  ｂｌｏｃｋ）単位で分割され、コードブロック単位でＣＲＣパリティビットが再度付加される（Ｓ２１０）。コードブロック分割（ｓｅｇｍｅｎｔａｔｉｏｎ）後のビットシーケンス出力をｃr0，ｃr1，．．．，ｃr(Kr-1)という。ここで、コードブロックの総個数をＣとする時、ｒコードブロック番号（ｃｏｄｅ  ｂｌｏｃｋ  ｎｕｍｂｅｒ）、Ｋｒは、コードブロック番号ｒに対したビット数のことを言う。
【００４１】
与えられたコードブロックに対するビットシーケンスは、チャネルコーディングが行われる（Ｓ２２０）。エンコーディングされたビットをｄ(i)0，ｄ(i)1，．．．，ｄ(i)D-1で表し、Ｄは、出力ストリーム当たりのエンコーディングされたビットの個数、ｉは、エンコーダ出力ビットストリームのインデックスである。
【００４２】
エンコーディングされたビットは、レートマッチング（ｒａｔｅ  ｍａｔｃｈｉｎｇ）が行われ（Ｓ２３０）、コードブロック接続（ｃｏｎｃａｔｅｎａｔｉｏｎ）が行われて（Ｓ２４０）、データビットシーケンスｆ0，ｆ1，．．．，ｆG-1を生成する。ここで、Ｇは、制御情報がＰＵＳＣＨ上において多重化される時、制御情報転送に使用されるビットを除いた転送に使用されるエンコーディングされたビットの総数を表す。
【００４３】
一方、データ（アップリンクデータ）と共に制御情報（アップリンク制御情報）が多重化されうる。データと制御情報は、その転送のためのコーディングされたシンボル（Ｃｏｄｅｄ  Ｓｙｍｂｏｌｓ）の他の個数を割り当てることによって、他のコード率（ｃｏｄｉｎｇ  ｒａｔｅ）を使用することができる。制御情報は、ＣＱＩ（ｃｈａｎｎｅｌ  ｑｕａｌｉｔｙ  ｉｎｄｉｃａｔｏｒ）、ＲＩ（ｒａｎｋ  ｉｎｄｉｃａｔｏｒ）、ＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）などがある。
【００４４】
ＣＱＩ  ｏ0，ｏ1，．．．，ｏO-1（Ｏは、ＣＱＩのビット数）は、チャネルコーディングが行われて、制御情報ビットシーケンスｑ0，ｑ1，．．．，ｑQCQI-1が生成される（Ｓ２５０）。Ｒ  Ｉｏ0RI、又はｏ0RI，ｏ1RIは、チャネルコーディングが行われて制御情報ビットシーケンスｑ0RI，ｑ1RI，．．．，ｑQRIRI-1が生成される（Ｓ２６０）。同様に、ＡＣＫ／ＮＡＣＫ  ｏ0ACK、又はｏ0ACK，ｏ1ACK又はｏ0ACK，ｏ1ACK、…，ｏoACK-1ACKは、チャネルコーディングが行われて、制御情報ビットシーケンスｑ0ACK，ｑ1ACK，．．．，ｑQACK-1ACKが生成される（Ｓ２７０）。
【００４５】
前記生成されたデータビットシーケンスｆ0，ｆ1，．．．，ｆG-1とＣＱＩの制御情報ビットシーケンスｑ0，ｑ1，．．．，ｑQCQI-1は、多重化されたシーケンスｇ0，ｇ1，．．．，ｇH-1に多重化される（Ｓ２８０）。多重化時にまずＣＱＩの制御情報ビットシーケンスｑ0，ｑ1，．．．，ｑQCQI-1が配置され、以後にデータビットシーケンスｆ0，ｆ1，．．．，ｆG-1が配置されることができる。すなわち、Ｈ＝Ｇ＋Ｑであるとき、［ｇ0，ｇ1，．．．，ｇH-1］＝［ｑ0，ｑ1，．．．，ｑQCQI-1，ｆ0，ｆ1，．．．，ｆG-1］のように構成されることができる。
【００４６】
多重化されたシーケンスｇ0，ｇ1，．．．，ｇH-1は、チャネルインタリーバ（ｃｈａｎｎｅｌ  ｉｎｔｅｒｌｅａｖｅｒ）により変調シーケンスｈ0，ｈ1，．．．，ｈH'-1にマッピングされる（Ｓ２８０）。また、ＲＩ又はＡＣＫ／ＮＡＣＫの制御情報ビットシーケンスは、チャネルインタリーバにより変調シーケンスｈ0，ｈ1，．．．，ｈH'-1にマッピングされる。ここで、ｈiは、コンステレーション（ｃｏｎｓｔｅｌｌａｔｉｏｎ）上の変調シンボルであり、Ｈ'＝Ｈ＋ＱRIである。変調シーケンスｈ0，ｈ1，．．．，ｈH'-1の各変調シンボルは、ＰＵＳＣＨのための資源要素（ｒｅｓｏｒｕｃｅ  ｅｌｅｍｅｎｔ）にマッピングされる。資源要素は、１  ＳＣ−ＦＤＭＡシンボル（又はＯＦＤＭＡシンボル）と１副搬送波と定義されるサブフレーム上の割り当て単位である。
【００４７】
図５は、ＰｒｏＳｅのための基準構造を示す。
【００４８】
図５を参照すると、ＰｒｏＳｅのための基準構造は、Ｅ−ＵＴＲＡＮ、ＥＰＣ、ＰｒｏＳｅ応用プログラムを含む複数の端末、ＰｒｏＳｅ応用サーバ（ＰｒｏＳｅ  ＡＰＰ  ｓｅｒｖｅｒ）、及びＰｒｏＳｅ機能（ＰｒｏＳｅ  ｆｕｎｃｔｉｏｎ）を含む。
【００４９】
ＥＰＣは、Ｅ−ＵＴＲＡＮコアネットワーク構造を代表する。ＥＰＣは、ＭＭＥ、Ｓ−ＧＷ、Ｐ−ＧＷ、政策及び課金規則（ｐｏｌｉｃｙ  ａｎｄ  ｃｈａｒｇｉｎｇ  ｒｕｌｅｓ  ｆｕｎｃｔｉｏｎ：ＰＣＲＦ）、ホーム加入者サーバ（ｈｏｍｅ  ｓｕｂｓｃｒｉｂｅｒ  ｓｅｒｖｅｒ：ＨＳＳ）などを含むことができる。
【００５０】
ＰｒｏＳｅ応用サーバは、応用機能を作るためのＰｒｏＳｅ能力のユーザである。ＰｒｏＳｅ応用サーバは、端末内の応用プログラムと通信できる。端末内の応用プログラムは、応用機能を作るためのＰｒｏＳｅ能力を使用することができる。
【００５１】
ＰｒｏＳｅ機能は、次のうち、少なくとも一つを含むことができるが、必ずこれに限定されるものではない。
【００５２】
−第３者応用プログラムに向けた基準点を介したインターワーキング（Ｉｎｔｅｒｗｏｒｋｉｎｇ  ｖｉａ  ａ  ｒｅｆｅｒｅｎｃｅ  ｐｏｉｎｔ  ｔｏｗａｒｄｓ  ｔｈｅ  ３ｒｄ  ｐａｒｔｙ  ａｐｐｌｉｃａｔｉｏｎｓ）
【００５３】
−発見及び直接通信のための認証及び端末に対する設定（Ａｕｔｈｏｒｉｚａｔｉｏｎ  ａｎｄ  ｃｏｎｆｉｇｕｒａｔｉｏｎ  ｏｆ  ｔｈｅ  ＵＥ  ｆｏｒ  ｄｉｓｃｏｖｅｒｙ  ａｎｄ  ｄｉｒｅｃｔ  ｃｏｍｍｕｎｉｃａｔｉｏｎ）
【００５４】
−ＥＰＣ次元のＰｒｏＳｅ発見の機能（Ｅｎａｂｌｅ  ｔｈｅ  ｆｕｎｃｔｉｏｎａｌｉｔｙ  ｏｆ  ｔｈｅ  ＥＰＣ  ｌｅｖｅｌ  ＰｒｏＳｅ  ｄｉｓｃｏｖｅｒｙ）
【００５５】
−ＰｒｏＳｅ関連した新しい加入者データ及びデータ格納調整、ＰｒｏＳｅ  ＩＤの調整（ＰｒｏＳｅ  ｒｅｌａｔｅｄ  ｎｅｗ  ｓｕｂｓｃｒｉｂｅｒ  ｄａｔａ  ａｎｄ  ｈａｎｄｌｉｎｇ  ｏｆ  ｄａｔａ  ｓｔｏｒａｇｅ，ａｎｄ  ａｌｓｏ  ｈａｎｄｌｉｎｇ  ｏｆ  ＰｒｏＳｅ  ｉｄｅｎｔｉｔｉｅｓ）
【００５６】
−セキュリティー関連機能（Ｓｅｃｕｒｉｔｙ  ｒｅｌａｔｅｄ  ｆｕｎｃｔｉｏｎａｌｉｔｙ）
【００５７】
−政策関連機能のためにＥＰＣに向かった制御提供（Ｐｒｏｖｉｄｅ  ｃｏｎｔｒｏｌ  ｔｏｗａｒｄｓ  ｔｈｅ  ＥＰＣ  ｆｏｒ  ｐｏｌｉｃｙ  ｒｅｌａｔｅｄ  ｆｕｎｃｔｉｏｎａｌｉｔｙ）
【００５８】
−課金のための機能提供（Ｐｒｏｖｉｄｅ  ｆｕｎｃｔｉｏｎａｌｉｔｙ  ｆｏｒ  ｃｈａｒｇｉｎｇ（ｖｉａ  ｏｒ  ｏｕｔｓｉｄｅ  ｏｆ  ＥＰＣ，ｅ．ｇ．，ｏｆｆｌｉｎｅ  ｃｈａｒｇｉｎｇ））
【００５９】
以下、ＰｒｏＳｅのための基準構造において基準点と基準インターフェスを説明する。
【００６０】
−ＰＣ１：端末内のＰｒｏＳｅ応用プログラムとＰｒｏＳｅ応用サーバ内のＰｒｏＳｅ応用プログラム間の基準点である。これは、応用次元においてシグナリング要求条件を定義するために使用される。
【００６１】
−ＰＣ２：ＰｒｏＳｅ応用サーバとＰｒｏＳｅ機能間の基準点である。これは、ＰｒｏＳｅ応用サーバとＰｒｏＳｅ機能間の相互作用を定義するために使用される。ＰｒｏＳｅ機能のＰｒｏＳｅデータベースの応用データアップデートが前記相互作用の一例になることができる。
【００６２】
−ＰＣ３：端末とＰｒｏＳｅ機能間の基準点である。端末とＰｒｏＳｅ機能間の相互作用を定義するために使用される。ＰｒｏＳｅ発見及び通信のための設定が前記相互作用の一例になることができる。
【００６３】
−ＰＣ４：ＥＰＣとＰｒｏＳｅ機能間の基準点である。ＥＰＣとＰｒｏＳｅ機能間の相互作用を定義するために使用される。前記相互作用は、端末の間に１：１通信のための経路を設定する時、又はリアルタイムセッション管理又は移動性管理のためのＰｒｏＳｅサービス認証する時を例示できる。
【００６４】
−ＰＣ５：端末同士に発見及び通信、中継、１：１通信のために制御／ユーザ平面を使用するための基準点である。
【００６５】
−ＰＣ６：互いに異なるＰＬＭＮに属したユーザの間にＰｒｏＳｅ発見のような機能を使用するための基準点である。
【００６６】
−ＳＧｉ：応用データ及び応用次元制御情報交換のために使用されることができる。
【００６７】
＜ＰｒｏＳｅ直接通信（Ｄ２Ｄ通信）：ＰｒｏＳｅ  Ｄｉｒｅｃｔ  Ｃｏｍｍｕｎｉｃａｔｉｏｎ＞
【００６８】
ＰｒｏＳｅ直接通信は、２個の供用安全端末がＰＣ５インターフェスを介して直接通信できる通信モードである。この通信モードは、端末がＥ−ＵＴＲＡＮのカバレッジ内でサービスを受ける場合、又はＥ−ＵＴＲＡＮのカバレッジから外れた場合、両方とも支援されることができる。
【００６９】
図６は、ＰｒｏＳｅ直接通信を行う端末とセルカバレッジの配置例を示す。
【００７０】
図６（ａ）を参照すると、端末Ａ、Ｂは、セルカバレッジの外側に位置できる。図６（ｂ）を参照すると、端末Ａは、セルカバレッジ内に位置し、端末Ｂは、セルカバレッジの外側に位置できる。図６（ｃ）を参照すると、端末Ａ、Ｂは、全部単一セルカバレッジ内に位置できる。図６（ｄ）を参照すると、端末Ａは、第１セルのカバレッジ内に位置し、端末Ｂは、第２セルのカバレッジ内に位置できる。
【００７１】
ＰｒｏＳｅ直接通信は、図５のように多様な位置にある端末の間に行われることができる。
【００７２】
一方、ＰｒｏＳｅ直接通信には、次のＩＤが使用されることができる。
【００７３】
ソース階層−２  ＩＤ：このＩＤは、ＰＣ５インターフェスでパケットの転送者を識別させる。
【００７４】
目的階層−２  ＩＤ：このＩＤは、ＰＣ５インターフェスでパケットのターゲットを識別させる。
【００７５】
ＳＡ  Ｌ１  ＩＤ：このＩＤは、ＰＣ５インターフェスでスケジューリング割り当て（ｓｃｈｅｄｕｌｉｎｇ  ａｓｓｉｇｎｍｅｎｔ：ＳＡ）でのＩＤである。
【００７６】
図７は、ＰｒｏＳｅ直接通信のためのユーザ平面プロトコルスタックを示す。
【００７７】
図７を参照すると、ＰＣ５インターフェスは、ＰＤＣＨ、ＲＬＣ、ＭＡＣ及びＰＨＹ階層から構成される。
【００７８】
ＰｒｏＳｅ直接通信では、ＨＡＲＱフィードバックがないことができる。ＭＡＣヘッダは、ソース階層−２  ＩＤ及び目的階層−２  ＩＤを含むことができる。
【００７９】
＜ＰｒｏＳｅ直接通信のための無線資源割り当て＞。
【００８０】
ＰｒｏＳｅ可能端末は、ＰｒｏＳｅ直接通信のための資源割り当てに対して次の２通りのモードを利用できる。
【００８１】
１．モード１
モード１は、ＰｒｏＳｅ直接通信のための資源を基地局からスケジューリングされるモードである。モード１によって端末がデータを転送するためには、ＲＲＣ＿ＣＯＮＮＥＣＴＥＤ状態でなければならない。端末は、転送資源を基地局に要請し、基地局は、スケジューリング割り当て及びデータ転送のための資源をスケジューリングする。端末は、基地局にスケジューリング要請を転送し、ＰｒｏＳｅ  ＢＳＲ（Ｂｕｆｆｅｒ  Ｓｔａｔｕｓ  Ｒｅｐｏｒｔ）を転送できる。基地局は、ＰｒｏＳｅ  ＢＳＲに基づいて、前記端末がＰｒｏＳｅ直接通信をするデータを有しており、この転送のための資源が必要であると判断する。
【００８２】
２．モード２
モード２は、端末が直接資源を選択するモードである。端末は、資源プール（ｒｅｓｏｕｒｃｅ  ｐｏｏｌ）から直接ＰｒｏＳｅ直接通信のための資源を選択する。資源プールは、ネットワークによって設定されるか、又は予め決まることができる。
【００８３】
一方、端末がサービングセルを有している場合、すなわち、端末が基地局とＲＲＣ＿ＣＯＮＮＥＣＴＥＤ状態にあるか、又はＲＲＣ＿ＩＤＬＥ状態で特定セルに位置した場合には、前記端末は、基地局のカバレッジ内にあると見なされる。
【００８４】
端末がカバレッジの外側にある場合、前記モード２だけが適用されることができる。仮に、端末がカバレッジ内にある場合、基地局の設定によってモード１又はモード２を使用することができる。
【００８５】
他の例外的な条件がない場合、基地局が設定した時においてのみ、端末は、モード１からモード２に、又はモード２からモード１にモードを変更することができる。
【００８６】
＜ＰｒｏＳｅ直接発見（Ｄ２Ｄ発見）：ＰｒｏＳｅ  ｄｉｒｅｃｔ  ｄｉｓｃｏｖｅｒｙ＞
【００８７】
ＰｒｏＳｅ直接発見は、ＰｒｏＳｅ可能端末が近接した他のＰｒｏＳｅ可能端末を発見するのに使用される手順のことを言い、Ｄ２Ｄ直接発見又はＤ２Ｄ発見とも称する。このとき、ＰＣ５インターフェスを介したＥ−ＵＴＲＡ無線信号が使用されることができる。ＰｒｏＳｅ直接発見に使用される情報を以下発見情報（ｄｉｓｃｏｖｅｒｙ  ｉｎｆｏｒｍａｔｉｏｎ）と称する。
【００８８】
図８は、Ｄ２Ｄ発見のためのＰＣ５インターフェスを示す。
【００８９】
図８を参照すると、ＰＣ５インターフェスは、ＭＡＣ階層、ＰＨＹ階層と上位階層であるＰｒｏＳｅ  Ｐｒｏｔｏｃｏｌ階層から構成される。上位階層（ＰｒｏＳｅ  Ｐｒｏｔｏｃｏｌ）で発見情報（ｄｉｓｃｏｖｅｒｙ  ｉｎｆｏｒｍａｔｉｏｎ）のお知らせ（ａｎｏｕｎｃｅｍｅｎｔ：以下、アナウンスメント）及びモニタリング（ｍｏｎｉｔｏｒｉｎｇ）に対する許可を取り扱い、発見情報の内容は、ＡＳ（ａｃｃｅｓｓ  ｓｔｒａｔｕｍ）に対して透明（ｔｒａｎｓｐａｒｅｎｔ）である。ＰｒｏＳｅ  Ｐｒｏｔｏｃｏｌは、アナウンスメントのために有効な発見情報のみをＡＳに伝達されるようにする。
【００９０】
ＭＡＣ階層は、上位階層（ＰｒｏＳｅ  Ｐｒｏｔｏｃｏｌ）から発見情報を受信する。ＩＰ階層は、発見情報転送のために使用されない。ＭＡＣ階層は、上位階層から受けた発見情報をアナウンスするために使用される資源を決定する。ＭＡＣ階層は、発見情報を運ぶＭＡＣ  ＰＤＵ（ｐｒｏｔｏｃｏｌ  ｄａｔａ  ｕｎｉｔ）を作って物理階層に送る。ＭＡＣヘッダは、追加されない。
【００９１】
発見情報アナウンスメントのために２種類タイプの資源割り当てがある。
【００９２】
１．タイプ１
発見情報のアナウンスメントのための資源が端末特定的でないように割り当てられる方法で、基地局が端末に発見情報アナウンスメントのための資源プール設定を提供する。この設定は、システム情報ブロック（ｓｙｓｔｅｍ  ｉｎｆｏｒｍａｔｉｏｎ  ｂｌｏｃｋ：ＳＩＢ）に含まれてブロードキャスト方式でシグナリングされうる。又は、前記設定は、端末特定的ＲＲＣメッセージに含まれて提供されることができる。又は、前記設定は、ＲＲＣメッセージの他に他の階層のブロードキャストシグナリング又は端末特定的シグナリングになることができる。
【００９３】
端末は、指示された資源プールから自ら資源を選択し、選択した資源を利用して発見情報をアナウンスする。端末は、各発見周期（ｄｉｓｃｏｖｅｒｙ  ｐｅｒｉｏｄ）の間に任意に選択した資源を介して発見情報をアナウンスできる。
【００９４】
２．タイプ２
発見情報のアナウンスメントのための資源が端末特定的に割り当てられる方法である。ＲＲＣ＿ＣＯＮＮＥＣＴＥＤ状態にある端末は、ＲＲＣ信号を介して基地局に発見信号アナウンスメントのための資源を要請できる。基地局は、ＲＲＣ信号に発見信号アナウンスメントのための資源を割り当てることができる。端末に設定された資源プール内で発見信号モニタリングのための資源が割り当てられることができる。
【００９５】
ＲＲＣ＿ＩＤＬＥ状態にある端末に対して、基地局は、１）発見情報アナウンスメントのためのタイプ１資源プールをＳＩＢに知らせることができる。ＰｒｏＳｅ直接発見が許容された端末は、ＲＲＣ＿ＩＤＬＥ状態で発見情報アナウンスメントのためにタイプ１資源プールを利用する。又は、基地局は、２）ＳＩＢを介して前記基地局がＰｒｏＳｅ直接発見は支援することを知らせるが、発見情報アナウンスメントのための資源は提供しなくても良い。この場合、端末は、発見情報アナウンスメントのためには、ＲＲＣ＿ＣＯＮＮＥＣＴＥＤ状態に入っていかなければならない。
【００９６】
ＲＲＣ＿ＣＯＮＮＥＣＴＥＤ状態にある端末に対して、基地局は、ＲＲＣ信号を介して前記端末が発見情報アナウンスメントのためにタイプ１資源プールを使用するか、それともタイプ２資源を使用するかを設定できる。
【００９７】
以下、本発明について説明する。
【００９８】
一般にＤ２Ｄ動作は、近接した機器間の信号送受信であるという点で多様な長所を有することができる。例えば、Ｄ２Ｄ端末は、高い転送率及び低い遅延を有しデータ通信を行うことができる。また、Ｄ２Ｄ動作は、基地局に集中するトラフィックを分散させることができ、Ｄ２Ｄ動作を行う端末が中継器として機能する場合、基地局のカバレッジを拡張させる機能も行うことができる。上述のＤ２Ｄ通信の拡張で車両間の信号送受信を含んで、車両（ＶＥＨＩＣＬＥ）と関連した通信を特にＶ２Ｘ（ＶＥＨＩＣＬＥ−ＴＯ−Ｘ）通信と呼ぶ。
【００９９】
ここで、一例として、Ｖ２Ｘ（ＶＥＨＩＣＬＥ−ＴＯ−Ｘ）で‘Ｘ’用語は、  ＰＥＤＥＳＴＲＩＡＮ  （ＣＯＭＭＵＮＩＣＡＴＩＯＮ  ＢＥＴＷＥＥＮ  Ａ  ＶＥＨＩＣＬＥ  ＡＮＤ  Ａ  ＤＥＶＩＣＥ  ＣＡＲＲＩＥＤ  ＢＹ  ＡＮ  ＩＮＤＩＶＩＤＵＡＬ  （例）  ＨＡＮＤＨＥＬＤ  ＴＥＲＭＩＮＡＬ  ＣＡＲＲＩＥＤ  ＢＹ  Ａ  ＰＥＤＥＳＴＲＩＡＮ，  ＣＹＣＬＩＳＴ，  ＤＲＩＶＥＲ  ＯＲ  ＰＡＳＳＥＮＧＥＲ））  （Ｖ２Ｐ），  ＶＥＨＩＣＬＥ  （ＣＯＭＭＵＮＩＣＡＴＩＯＮ  ＢＥＴＷＥＥＮ  ＶＥＨＩＣＬＥＳ）  （Ｖ２Ｖ），  ＩＮＦＲＡＳＴＲＵＣＴＵＲＥ／ＮＥＴＷＯＲＫ  （ＣＯＭＭＵＮＩＣＡＴＩＯＮ  ＢＥＴＷＥＥＮ  Ａ  ＶＥＨＩＣＬＥ  ＡＮＤ  Ａ  ＲＯＡＤＳＩＤＥ  ＵＮＩＴ  （ＲＳＵ）／ＮＥＴＷＯＲＫ  （ 例 ）  ＲＳＵ  ＩＳ  Ａ  ＴＲＡＮＳＰＯＲＴＡＴＩＯＮ  ＩＮＦＲＡＳＴＲＵＣＴＵＲＥ  ＥＮＴＩＴＹ  （ 例 ）  ＡＮ  ＥＮＴＩＴＹ  ＴＲＡＮＳＭＩＴＴＩＮＧ  ＳＰＥＥＤ  ＮＯＴＩＦＩＣＡＴＩＯＮＳ）  ＩＭＰＬＥＭＥＮＴＥＤ  ＩＮ  ＡＮ  ｅＮＢ  ＯＲ  Ａ  ＳＴＡＴＩＯＮＡＲＹ  ＵＥ））  （Ｖ２Ｉ／Ｎ）などを意味する。また、一例として、提案方式に対する説明の便宜のために、歩行者（あるいは人）が所持した（Ｖ２Ｐ通信関連）デバイスを「Ｐ−ＵＥ」と名付け、ＶＥＨＩＣＬＥに設置された（Ｖ２Ｘ通信関連）デバイスを「Ｖ−ＵＥ」と名付ける。また、一例として、本発明において「エンティティ（ＥＮＴＩＴＹ）」用語は、Ｐ−ＵＥそして／あるいはＶ−ＵＥ、そして／あるいはＲＳＵ（／ＮＥＴＷＯＲＫ／ＩＮＦＲＡＳＴＲＵＣＴＵＲＥ）と解析されることができる。
【０１００】
前述のＤ２Ｄ動作を提供（あるいは支援）する端末は、Ｄ２Ｄ端末と名付けることができ、前述したＶ２Ｘ動作を提供（あるいは支援）する端末は、Ｖ２Ｘ端末と名付けることができる。以下、説明の便宜のために本発明の実施形態を主にＶ２Ｘ端末の観点で述べるが、該当Ｖ２Ｘ端末に対する内容は、前記Ｄ２Ｄ端末にも適用されることができる。
【０１０１】
本発明によれば、一例として、Ｖ２Ｘ  ＵＥ（Ｓ）が「可変する大きさのＶ２Ｘ  ＭＥＳＳＡＧＥ（Ｓ）」を事前に予約（／選択）された」（固定された大きさの）周期的資源」を介して転送する時、以下の（一部）規則に従うように定義されることができる。ここで、一例として、以下（一部）規則が適用される場合、「可変する大きさのＶ２Ｘ  ＭＥＳＳＡＧＥ（Ｓ）」が高い信頼度（ＲＥＬＩＡＢＩＬＩＴＹ）で転送されることができる。このとき、Ｖ２Ｘ  ＭＥＳＳＡＧＥは、制御情報及び／又はデータを含むことができる。
【０１０２】
（例示＃Ａ）周期的資源割り当てでは、「資源の位置（／大きさ）」情報のみを指定し、Ｖ２Ｘ  ＵＥ（Ｓ）にとって、「ＭＣＳ（Ｍｏｄｕｌａｔｉｏｎ  Ａｎｄ  Ｃｏｄｉｎｇ  Ｓｃｈｅｍｅ）ＩＮＤＥＸ（／ＭＯＤＵＬＡＴＩＯＮ  ＯＤＥＲ）」情報を毎転送時点の「リンク品質（ＬＩＮＫ  ＱＵＡＬＩＴＹ）」そして／あるいは「（転送しなければならない）Ｖ２Ｘ  ＭＥＳＳＡＧＥ大きさ」を（自ら）考慮／決定した後、事前に指定されたチャネル（例えば、ＰＳＳＣＨ（ＰＨＹＳＩＣＡＬ ＳＩＤＥＬＩＮＫ ＣＨＡＮＮＥＬ））上に[データ]と共にピギーバックされて転送するようにすることができる。ここで、一例として、事前に指定されたチャネル（例えば、ＰＳＳＣＨ）上に「データ」と共にピギーバックされて転送される制御情報（例えば、「ＭＣＳ  ＩＮＤＥＸ（／ＭＯＤＵＬＡＴＩＯＮ  ＯＤＥＲ）」そして／あるいは「ＴＢＳ  ＩＮＤＥＸ（／ＴＲＡＮＳＰＯＲＴ  ＢＬＯＣＫ  ＳＩＺＥ）」）は、「データ」とは、別途のチャネルコーディングが印加されることができる。ここで、一例として、受信Ｖ２Ｘ  ＵＥ（Ｓ）は、該当制御情報がどんな資源を介して転送されるかを把握できなければならないので、その資源の位置（／大きさ）は、固定されることが好ましい。
【０１０３】
（例示＃Ｂ）周期的資源割り当てでは、「資源の位置（／大きさ）」情報及び「ＭＣＳ  ＩＮＤＥＸ（／ＭＯＤＵＬＡＴＩＯＮ  ＯＤＥＲ）」情報のみを指定し、Ｖ２Ｘ  ＵＥ（Ｓ）にとって、「ＴＢＳ  ＩＮＤＥＸ（／ＴＲＡＮＳＰＯＲＴ  ＢＬＯＣＫ  ＳＩＺＥ）」情報を毎転送時点の「リンク品質」そして／あるいは「（転送しなければならない）Ｖ２Ｘ  ＭＥＳＳＡＧＥ大きさ」を（自ら）考慮／決定した後、事前に指定されたチャネル（例えば、ＰＳＳＣＨ）上に「データ」と共にピギーバックして転送するようにすることができる。ここで、一例として「ＴＢＳ  ＩＮＤＥＸ（／ＴＲＡＮＳＰＯＲＴ  ＢＬＯＣＫ  ＳＩＺＥ）」情報は、実際（転送しなければならない）Ｖ２Ｘ  ＭＥＳＳＡＧＥ大きさに最も適合したもの（例えば、大きいか、又は同じ値のうち、 最小のもの、最も近いもの）に選ばれることができる。
【０１０４】
以下の提案方式は、Ｖ２Ｘ  ＵＥ（Ｓ）が事前に指定されたチャネル（例えば、ＰＳＳＣＨ）上に（「データ」と共に）制御（／スケジューリング）情報（例えば、「ＭＣＳ  ＩＮＤＥＸ（／ＭＯＤＵＬＡＴＩＯＮ  ＯＤＥＲ）」そして／あるいは「ＴＢＳ  ＩＮＤＥＸ（／ＴＲＡＮＳＰＯＲＴ  ＢＬＯＣＫ  ＳＩＺＥ）」）をピギーバックして転送する時、具体的なマッピング（ＭＡＰＰＩＮＧ）方法を提示する。
【０１０５】
提案方法に対する具体的な説明をする前に、一例として、Ｖ２Ｘ通信が相対的に「高い周波数帯域（例えば、６ＧＨＺ）」と「速い速度（例えば、（最大）１４０ＫＭ／Ｈ）」下で行われる場合、（事前に定義（／シグナリング）された参照信号（ＲＥＦＥＲＥＮＣＥ  ＳＩＧＮＡＬ（ＲＳ））（例えば、「ＤＭ−ＲＳ」）基盤の）チャネル推定性能が「（‘ＦＲＥＱＵＥＮＣＹ  ＯＦＦＳＥＴ’と‘ＤＯＰＰＬＥＲ  ＥＦＦＥＣＴ’によって発生される）ＰＨＡＳＥ  ＤＲＩＦＴ」と「ＩＣＩ（ＩＮＴＥＲ−ＣＡＲＲＩＥＲ  ＩＮＴＥＲＦＥＲＥＮＣＥ）」によって減少（／低下）できる。ここで、一例として、該当問題を解決するために、チャネル推定に使用される参照信号（例えば、‘ＤＭ−ＲＳ’）の密度（ＤＥＮＳＩＴＹ）（／個数）を高めることができる。これにより、一例として、‘ＰＨＡＳＥ  ＯＦＦＳＥＴ’補正及びチャネル推定性能を向上させることができる。
【０１０６】
図９ないし図１３は、チャネル推定に使用される参照信号の密度（／個数）が増加した場合に対する一例である。さらに具体的に、図９ないし図１３は、チャネル推定に使用される参照信号（例えば、‘ＤＭ−ＲＳ’）の密度（／個数）が増加した場合（例えば、‘４個’のシンボルが参照信号（ＤＭ−ＲＳ）転送用途として使用される）を示す。ここで、一例として、‘ＮＯＲＭＡＬ  ＣＰ’が設定された場合を仮定した。
【０１０７】
このとき、図９は、‘ＳＹＭＢＯＬ＃２、＃５、＃８、＃１１’に４シンボルＤＭＲＳがある場合を示すものである。図１０は、‘ＳＹＭＢＯＬ＃２、＃４、＃９、＃１１’に４シンボルＤＭＲＳがある場合を示すものである。図１１は、ＣＯＭＢ−ＴＹＰＥ  ＲＳ  ＡＴ‘ＳＹＭＢＯＬ＃２、＃５、＃８、＃１１’を示すものである。図１２は、ＦＤＭ  ＯＦ  ＲＳ  ＡＮＤ  ＤＡＴＡ  ＡＴ  ＥＶＥＲＹ  ＳＹＭＢＯＬ（ＯＦＤＭ−ＬＩＫＥ  ＳＴＲＵＣＴＵＲＥ）を示すものである。図１３は、ＦＤＭ  ＯＦ  ＲＳ  ＡＮＤ  ＤＡＴＡ  ＡＴ‘ＳＹＭＢＯＬ＃１、＃２、＃３、＃４、＃５、＃６、＃７、＃８、＃９、＃１０、＃１１、＃１２’（ＯＦＤＭ−ＬＩＫＥ  ＳＴＲＵＣＴＵＲＥ）を示すものである。
【０１０８】
以下、（提案方式に対する）説明の便宜のために、図９ないし図１３の‘参照信号構造（／密度／個数）’を仮定する。ここで、しかしながら、本発明の提案方式は、他の‘参照信号構造（／密度／個数）’でも拡張適用が可能である。
【０１０９】
図１４は、本発明の一実施形態による、制御情報に関連したコードされたシンボル（ＣＯＤＥＤ  ＳＹＭＢＯＬ）をサブフレーム上にマッピングさせる方法のフローチャートである。
【０１１０】
図１４によれば、端末は、制御情報に関連したコードされたシンボル（ＣＯＤＥＤ  ＳＹＭＢＯＬ）をサブフレーム上においてマッピングする（Ｓ１４１０）。このとき、端末は、Ｖ２Ｘ端末でありうる。以下、制御情報に関連したコードされたシンボルがマッピングされる具体的な例について説明する。
【０１１１】
［提案方法］以下の（一部）規則（／原理）に従って、制御（／スケジューリング）情報関連‘ＣＯＤＥＤ  ＳＹＭＢＯＬ（Ｓ）’がマッピングされることができる。ここで、一例として、該当（制御（／スケジューリング）情報関連）‘ＣＯＤＥＤ  ＳＹＭＢＯＬ（Ｓ）’は、‘データ’より先にマッピングされるように設定（‘データ’が‘ＲＡＴＥ−ＭＡＴＣＨＩＮＧ’される形態）されるか、又はまず（／先に）マッピングされた‘データ’を‘ＰＵＮＣＴＵＲＩＮＧ’してマッピングされるように定義されることができる。さらに他の一例として、「制御（／スケジューリング）情報関連‘ＣＯＤＥＤ  ＳＹＭＢＯＬ（Ｓ）’の最大個数」は、「制御（／スケジューリング）情報関連‘ＣＯＤＥＤ  ＳＹＭＢＯＬ（Ｓ）’がマッピングされるシンボル個数Ｘ制御（／スケジューリング）情報と‘データ’が（共に）転送されるチャネル（例えば、‘ＰＳＳＣＨ’）の‘ＳＣＨＥＤＵＬＥＤ  ＢＡＮＤＷＩＤＴＨ（ＳＵＢ−ＣＡＲＲＩＥＲ個数）’）」に限定されることができる。
【０１１２】
（規則＃１−１）‘チャネル推定（／デコード）性能’を高めるために、‘ＤＭ−ＲＳ’シンボル（ら）と（最大限）隣接した所に、（制御（／スケジューリング）情報関連）‘ＣＯＤＥＤ  ＳＹＭＢＯＬ（Ｓ）’がマッピングされるようにする。
【０１１３】
（規則＃１−２）‘ＥＸＴＲＡ（／ＯＵＴＥＲ）−ＰＯＬＡＴＩＯＮ’基盤のチャネル推定を減らすために、（制御（／スケジューリング）情報関連）‘ＣＯＤＥＤ  ＳＹＭＢＯＬ（Ｓ）’が‘ＤＭ−ＲＳ’シンボル（ら）の間に（のみ）マッピングされるようにする。一例として、このような規則が適用される場合、「１番目の‘ＤＭ−ＲＳ’シンボル以前のシンボル（ら）」と「最後の‘ＤＭ−ＲＳ’シンボル以後のシンボル（ら）」上に（制御（／スケジューリング）情報関連）‘ＣＯＤＥＤ  ＳＹＭＢＯＬ（Ｓ）’がマッピングされない。
【０１１４】
（規則＃１−３）‘ＴＩＭＥ−ＤＩＳＶＥＲＳＩＴＹ’利得を（最大限）得るために、同一周波数（／ＳＵＢ−ＣＡＲＲＩＥＲ）’上に（連続的に）マッピングされる（制御（／スケジューリング）情報関連）‘ＣＯＤＥＤ  ＳＹＭＢＯＬ（Ｓ）’間の間隔が最大限離隔されるようにする。
【０１１５】
図１５ないし図２３は、図９及び／又は図１１の場合に、（規則＃１−１）、（規則＃１−２）、（規則＃１−３）に従って、制御（／スケジューリング）情報関連‘ＣＯＤＥＤ  ＳＹＭＢＯＬ（Ｓ）’がマッピングされる例示である。
【０１１６】
さらに具体的に、図１５ないし図２３は、図９及び／又は図１１の場合に、（規則＃１−１）、（規則＃１−２）、（規則＃１−３）に従って、制御（／スケジューリング）情報関連‘ＣＯＤＥＤ  ＳＹＭＢＯＬ（Ｓ）’がマッピングされる例示を示す。ここで、一例として、（ピギーバックされる）制御（／スケジューリング）情報関連‘ＣＯＤＥＤ  ＳＹＭＢＯＬ（Ｓ）’を‘２１’個と仮定した。ここで、一例として、（制御（／スケジューリング）情報関連）‘ＣＯＤＥＤ  ＳＹＭＢＯＬ（Ｓ）’がマッピングされるシンボル位置（／資源位置（／大きさ））が‘ＳＹＭＢＯＬ＃３／４／６／７／９／１０’であると解析されることができる。さらに他の一例として、図１５、図１６、図１７において、‘ＳＹＭＢＯＬ＃６’と‘ＳＹＭＢＯＬ＃７’にマッピングされる制御（／スケジューリング）情報関連‘ＣＯＤＥＤ  ＳＹＭＢＯＬ（Ｓ）’は、それぞれ‘ＳＹＭＢＯＬ＃７’と‘ＳＹＭＢＯＬ＃６’にマッピングされるように変更されることもできる。具体的な一例として、図１５の場合、‘ＳＹＭＢＯＬ＃６’にマッピングされる‘ＣＯＤＥＤ  ＳＹＭＢＯＬ＃５／１１／７’と‘ＳＹＭＢＯＬ＃７’にマッピングされる‘ＣＯＤＥＤ  ＳＹＭＢＯＬ＃２／８／１４／２０’がそれぞれ‘ＳＹＭＢＯＬ＃７’と‘ＳＹＭＢＯＬ＃６’にマッピングされるように変更されることができる。
【０１１７】
図２４は、図９及び／又は図１１の場合に、（規則＃１−１）、（規則＃１−２）に従って、制御（／スケジューリング）情報関連‘ＣＯＤＥＤ  ＳＹＭＢＯＬ（Ｓ）’がマッピングされる例示を示す。ここで、一例として、（ピギーバックされる）制御（／スケジューリング）情報関連‘ＣＯＤＥＤ  ＳＹＭＢＯＬ（Ｓ）’を‘２１’個と仮定した。ここで、一例として、（制御（／スケジューリング）情報関連）‘ＣＯＤＥＤ  ＳＹＭＢＯＬ（Ｓ）’がマッピングされるシンボル位置（／資源位置（／大きさ））が‘ＳＹＭＢＯＬ＃３／４／６／７／９／１０’であると解析されることができる。ここで、一例として、制御（／スケジューリング）情報関連‘ＣＯＤＥＤ  ＳＹＭＢＯＬ（Ｓ）’は、（‘ＣＯＤＥＤ  ＳＹＭＢＯＬ（Ｓ）’がマッピングされるシンボル（ら）（／資源位置（／大きさ））のみを考慮して）‘ＳＹＭＢＯＬ（／ＴＩＭＥ）ＩＮＤＥＸ’の最小値（例えば、‘ＳＹＭＢＯＬ＃３’）、‘ＳＵＢ−ＣＡＲＲＩＥＲ（／ＦＲＥＱＵＥＮＣＹ）ＩＮＤＥＸ’の最大値から始めて‘ＳＹＭＢＯＬ（／ＴＩＭＥ）ＩＮＤＥＸ’を増加させながら割り当てられ、‘ＳＹＭＢＯＬ（／ＴＩＭＥ）ＩＮＤＥＸ’が最大値（例えば、‘ＳＹＭＢＯＬ＃１０’）になると、‘ＳＵＢ−ＣＡＲＲＩＥＲ（／ＦＲＥＱＵＥＮＣＹ）ＩＮＤＥＸ’を一つ減少させ、また‘ＳＹＭＢＯＬ（／ＴＩＭＥ）ＩＮＤＥＸ’の最小値から‘ＳＹＭＢＯＬ（／ＴＩＭＥ）ＩＮＤＥＸ’を増加させながら割り当てられる。
【０１１８】
図２５ないし図３４は、図９及び／又は図１１の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【０１１９】
さらに具体的に、図２５ないし図３４は、図９及び／又は図１１の場合に、（規則＃１−１）、（規則＃１−３）に従って、制御（／スケジューリング）情報関連‘ＣＯＤＥＤ  ＳＹＭＢＯＬ（Ｓ）’がマッピングされる例示を示す。ここで、一例として、（ピギーバックされる）制御（／スケジューリング）情報関連‘ＣＯＤＥＤ  ＳＹＭＢＯＬ（Ｓ）’を‘２１’個と仮定した。ここで、一例として、（制御（／スケジューリング）情報関連）‘ＣＯＤＥＤ  ＳＹＭＢＯＬ（Ｓ）’がマッピングされるシンボル位置（／資源位置（／大きさ））が‘ＳＹＭＢＯＬ＃１／３／４／６／７／９／１０／１２’であると解析されることができる。さらに他の一例として、図２５及び／又は図２６及び／又は図２７において、‘ＳＹＭＢＯＬ＃９’と‘ＳＹＭＢＯＬ＃１０’にマッピングされる制御（／スケジューリング）情報関連‘ＣＯＤＥＤ  ＳＹＭＢＯＬ（Ｓ）’がそれぞれ‘ＳＹＭＢＯＬ＃１０’と‘ＳＹＭＢＯＬ＃９’にマッピングされるように変更されることもできる。具体的な一例として、図２５の場合、‘ＳＹＭＢＯＬ＃９’にマッピングされる‘ＣＯＤＥＤ  ＳＹＭＢＯＬ＃６／１４’と‘ＳＹＭＢＯＬ＃１０’にマッピングされる‘ＣＯＤＥＤ  ＳＹＭＢＯＬ＃４／１２／２０’がそれぞれ‘ＳＹＭＢＯＬ＃１０’と‘ＳＹＭＢＯＬ＃９’にマッピングされるように変更されることができる。
【０１２０】
図３５は、図９及び／又は図１１の場合に、（規則＃１−１）に従って、制御（／スケジューリング）情報関連‘ＣＯＤＥＤ  ＳＹＭＢＯＬ（Ｓ）’がマッピングされる例示である。
【０１２１】
さらに具体的に、図３５は、図９及び／又は図１１の場合に、（規則＃１−１）に従って、制御（／スケジューリング）情報関連‘ＣＯＤＥＤ  ＳＹＭＢＯＬ（Ｓ）’がマッピングされる例示を示す。ここで、一例として、（ピギーバックされる）制御（／スケジューリング）情報関連‘ＣＯＤＥＤ  ＳＹＭＢＯＬ（Ｓ）’を‘２１’個と仮定した。ここで、一例として、（制御（／スケジューリング）情報関連）‘ＣＯＤＥＤ  ＳＹＭＢＯＬ（Ｓ）’がマッピングされるシンボル位置（／資源位置（／大きさ））が‘ＳＹＭＢＯＬ＃１／３／４／６／７／９／１０／１２’であると解析されることができる。ここで、一例として、制御（／スケジューリング）情報関連‘ＣＯＤＥＤ  ＳＹＭＢＯＬ（Ｓ）’は、（‘ＣＯＤＥＤ  ＳＹＭＢＯＬ（Ｓ）’がマッピングされるシンボル（ら）（／資源位置（／大きさ））のみを考慮して）‘ＳＹＭＢＯＬ（／ＴＩＭＥ）ＩＮＤＥＸ’の最小値（例えば、‘ＳＹＭＢＯＬ＃１’）、‘ＳＵＢ−ＣＡＲＲＩＥＲ（／ＦＲＥＱＵＥＮＣＹ）ＩＮＤＥＸ’の最大値から始めて‘ＳＹＭＢＯＬ（／ＴＩＭＥ）ＩＮＤＥＸ’を増加させながら割り当てられ、‘ＳＹＭＢＯＬ（／ＴＩＭＥ）ＩＮＤＥＸ’が最大値（例えば、‘ＳＹＭＢＯＬ＃１２’）になると‘ＳＵＢ−ＣＡＲＲＩＥＲ（／ＦＲＥＱＵＥＮＣＹ）ＩＮＤＥＸ’を一つ減少させ、また‘ＳＹＭＢＯＬ（／ＴＩＭＥ）ＩＮＤＥＸ’の最小値から‘ＳＹＭＢＯＬ（／ＴＩＭＥ）ＩＮＤＥＸ’を増加させながら割り当てられる。
【０１２２】
図３６ないし図３９は、図１０の場合に、（規則＃１−１）、（規則＃１−２）、（規則＃１−３）に従って、制御（／スケジューリング）情報関連‘ＣＯＤＥＤ  ＳＹＭＢＯＬ（Ｓ）’がマッピングされる例示である。
【０１２３】
さらに具体的に、図３６ないし図３９は、図１０の場合に、（規則＃１−１）、（規則＃１−２）、（規則＃１−３）に従って、制御（／スケジューリング）情報関連‘ＣＯＤＥＤ  ＳＹＭＢＯＬ（Ｓ）’がマッピングされる例示を示す。ここで、一例として、（ピギーバックされる）制御（／スケジューリング）情報関連‘ＣＯＤＥＤ  ＳＹＭＢＯＬ（Ｓ）’を‘２１’個と仮定した。ここで、一例として、（制御（／スケジューリング）情報関連）‘ＣＯＤＥＤ  ＳＹＭＢＯＬ（Ｓ）’がマッピングされるシンボル位置（／資源位置（／大きさ））が‘ＳＹＭＢＯＬ＃３／５／８／１０’であると解析されることができる。
【０１２４】
図４０は、図１０の場合に、（規則＃１−１）、（規則＃１−２）に従って、制御（／スケジューリング）情報関連‘ＣＯＤＥＤ  ＳＹＭＢＯＬ（Ｓ）’がマッピングされる例示である。
【０１２５】
さらに具体的に、図４０は、図１０の場合に、（規則＃１−１）、（規則＃１−２）に従って、制御（／スケジューリング）情報関連‘ＣＯＤＥＤ  ＳＹＭＢＯＬ（Ｓ）’がマッピングされる例示を示す。ここで、一例として、（ピギーバックされる）制御（／スケジューリング）情報関連‘ＣＯＤＥＤ  ＳＹＭＢＯＬ（Ｓ）’を‘２１’個と仮定した。ここで、一例として、（制御（／スケジューリング）情報関連）‘ＣＯＤＥＤ  ＳＹＭＢＯＬ（Ｓ）’がマッピングされるシンボル位置（／資源位置（／大きさ））が‘ＳＹＭＢＯＬ＃３／５／８／１０’であると解析されることができる。ここで、一例として、制御（／スケジューリング）情報関連‘ＣＯＤＥＤ  ＳＹＭＢＯＬ（Ｓ）’は、（‘ＣＯＤＥＤ  ＳＹＭＢＯＬ（Ｓ）’がマッピングされるシンボル（ら）（／資源位置（／大きさ））のみを考慮して）‘ＳＹＭＢＯＬ（／ＴＩＭＥ）ＩＮＤＥＸ’の最小値（例えば、‘ＳＹＭＢＯＬ＃３’）、‘ＳＵＢ−ＣＡＲＲＩＥＲ（／ＦＲＥＱＵＥＮＣＹ）ＩＮＤＥＸ’の最大値から始めて‘ＳＹＭＢＯＬ（／ＴＩＭＥ）ＩＮＤＥＸ’を増加させながら割り当てられ、‘ＳＹＭＢＯＬ（／ＴＩＭＥ）ＩＮＤＥＸ’が最大値（例えば、‘ＳＹＭＢＯＬ＃１０’）になると、‘ＳＵＢ−ＣＡＲＲＩＥＲ（／ＦＲＥＱＵＥＮＣＹ）ＩＮＤＥＸ’を一つ減少させ、また‘ＳＹＭＢＯＬ（／ＴＩＭＥ）ＩＮＤＥＸ’の最小値から‘ＳＹＭＢＯＬ（／ＴＩＭＥ）ＩＮＤＥＸ’を増加させながら割り当てられる。
【０１２６】
図４１ないし図４９は、図１０の場合に、（規則＃１−１）、（規則＃１−３）に従って、制御（／スケジューリング）情報関連‘ＣＯＤＥＤ  ＳＹＭＢＯＬ（Ｓ）’がマッピングされる例示である。
【０１２７】
さらに具体的に、図４１ないし図４９は、図１０の場合に、（規則＃１−１）、（規則＃１−３）に従って、制御（／スケジューリング）情報関連‘ＣＯＤＥＤ  ＳＹＭＢＯＬ（Ｓ）’がマッピングされる例示を示す。ここで、一例として、（ピギーバックされる）制御（／スケジューリング）情報関連‘ＣＯＤＥＤ  ＳＹＭＢＯＬ（Ｓ）’を‘２１’個と仮定した。ここで、一例として、（制御（／スケジューリング）情報関連）‘ＣＯＤＥＤ  ＳＹＭＢＯＬ（Ｓ）’がマッピングされるシンボル位置（／資源位置（／大きさ））が‘ＳＹＭＢＯＬ＃１／３／５／８／１０／１２’であると解釈されることができる。さらに他の一例として、図４１及び／又は図４２において、‘ＳＹＭＢＯＬ＃５’と‘ＳＹＭＢＯＬ＃８’にマッピングされる制御（／スケジューリング）情報関連‘ＣＯＤＥＤ  ＳＹＭＢＯＬ（Ｓ）’がそれぞれ‘ＳＹＭＢＯＬ＃８’と‘ＳＹＭＢＯＬ＃５’にマッピングされるように変更されうる。具体的な一例として、図４１の場合、‘ＳＹＭＢＯＬ＃５’にマッピングされる‘ＣＯＤＥＤ  ＳＹＭＢＯＬ＃３／９／１５’と‘ＳＹＭＢＯＬ＃８’にマッピングされる‘ＣＯＤＥＤ  ＳＹＭＢＯＬ＃２／８／１４／２０’がそれぞれ‘ＳＹＭＢＯＬ＃８’と‘ＳＹＭＢＯＬ＃５’にマッピングされるように変更されることができる。
【０１２８】
図５０は、図１０の場合に、（規則＃１−１）に従って、制御（／スケジューリング）情報関連‘ＣＯＤＥＤ  ＳＹＭＢＯＬ（Ｓ）’がマッピングされる例示である。
【０１２９】
さらに具体的に、図５０は、図１０の場合に、（規則＃１−１）に従って、制御（／スケジューリング）情報関連‘ＣＯＤＥＤ  ＳＹＭＢＯＬ（Ｓ）’がマッピングされる例示を示す。ここで、一例として、（ピギーバックされる）制御（／スケジューリング）情報関連‘ＣＯＤＥＤ  ＳＹＭＢＯＬ（Ｓ）’を‘２１’個と仮定した。ここで、一例として、（制御（／スケジューリング）情報関連）‘ＣＯＤＥＤ  ＳＹＭＢＯＬ（Ｓ）’がマッピングされるシンボル位置（／資源位置（／大きさ））が‘ＳＹＭＢＯＬ＃１／３／５／８／１０／１２’であると解析されることができる。ここで、一例として、制御（／スケジューリング）情報関連‘ＣＯＤＥＤ  ＳＹＭＢＯＬ（Ｓ）’は、（‘ＣＯＤＥＤ  ＳＹＭＢＯＬ（Ｓ）’がマッピングされるシンボル（ら）（／資源位置（／大きさ））のみを考慮して）‘ＳＹＭＢＯＬ（／ＴＩＭＥ）ＩＮＤＥＸ’の最小値（例えば、‘ＳＹＭＢＯＬ＃１’）、‘ＳＵＢ−ＣＡＲＲＩＥＲ（／ＦＲＥＱＵＥＮＣＹ）ＩＮＤＥＸ’の最大値から始めて‘ＳＹＭＢＯＬ（／ＴＩＭＥ）ＩＮＤＥＸ’を増加させながら割り当てられ、‘ＳＹＭＢＯＬ（／ＴＩＭＥ）ＩＮＤＥＸ’が最大値（例えば、‘ＳＹＭＢＯＬ＃１２’）になると、‘ＳＵＢ−ＣＡＲＲＩＥＲ（／ＦＲＥＱＵＥＮＣＹ）ＩＮＤＥＸ’を一つ減少させ、また‘ＳＹＭＢＯＬ（／ＴＩＭＥ）ＩＮＤＥＸ’の最小値から‘ＳＹＭＢＯＬ（／ＴＩＭＥ）ＩＮＤＥＸ’を増加させながら割り当てられる。
【０１３０】
図５１ないし図５４は、制御（／スケジューリング）情報関連‘ＣＯＤＥＤ  ＳＹＭＢＯＬ（Ｓ）’の一例である。
【０１３１】
さらに具体的に、ここで、一例として、図５１及び／又は図５２と図５３及び／又は図５４がそれぞれ図９及び／又は図１１、図１０のケースに該当される。ここで、一例として、（ピギーバックされる）制御（／スケジューリング）情報関連‘ＣＯＤＥＤ  ＳＹＭＢＯＬ（Ｓ）’を‘２１’個と仮定した。ここで、一例として、図５１、図５２、図５３、図５４がそれぞれ（制御（／スケジューリング）情報関連）‘ＣＯＤＥＤ  ＳＹＭＢＯＬ（Ｓ）’がマッピングされるシンボル位置（／資源位置（／大きさ））が‘ＳＹＭＢＯＬ＃０／１／３／４／６／７／９／１０／１２／１３’、‘ＳＹＭＢＯＬ＃１／３／４／６／７／９／１０／１２’、‘ＳＹＭＢＯＬ＃０／１／３／５／６／７／８／１０／１２／１３’、‘ＳＹＭＢＯＬ＃１／３／５／６／７／８／１０／１２’であると解析されることができる。ここで、一例として、制御（／スケジューリング）情報関連‘ＣＯＤＥＤ  ＳＹＭＢＯＬ（Ｓ）’は、（‘ＣＯＤＥＤ  ＳＹＭＢＯＬ（Ｓ）’がマッピングされるシンボル（ら）（／資源位置（／大きさ））のみを考慮して）‘ＳＹＭＢＯＬ（／ＴＩＭＥ）ＩＮＤＥＸ’の最小値（例えば、‘ＳＹＭＢＯＬ＃１’（図５２）、‘ＳＵＢ−ＣＡＲＲＩＥＲ（／ＦＲＥＱＵＥＮＣＹ）ＩＮＤＥＸ’の最小値から始めて‘ＳＹＭＢＯＬ（／ＴＩＭＥ）ＩＮＤＥＸ’を増加させながら割り当てられ、‘ＳＹＭＢＯＬ（／ＴＩＭＥ）ＩＮＤＥＸ’が最大値（例えば、‘ＳＹＭＢＯＬ＃１２’（図５２）になると、‘ＳＵＢ−ＣＡＲＲＩＥＲ（／ＦＲＥＱＵＥＮＣＹ）ＩＮＤＥＸ’を一つ増加させ、また‘ＳＹＭＢＯＬ（／ＴＩＭＥ）ＩＮＤＥＸ’の最小値から‘ＳＹＭＢＯＬ（／ＴＩＭＥ）ＩＮＤＥＸ’を増加させながら割り当てられる。ここで、一例として、１番目のシンボル（‘ＳＹＭＢＯＬ＃０’）そして／あるいは最後のシンボル（‘ＳＹＭＢＯＬ＃１３’）が‘ＡＧＣ問題緩和’そして／あるいは‘（後行する）ＷＡＮ  ＵＬ  ＴＸ（ＳＦ）とのオーバーラップ防止’などの理由でパンクチャリングされる場合、図５２及び／又は図５４が図５１及び／又は図５３に比べて、より良い“制御（／スケジューリング）情報送／受信性能”を保障（パンクチャリングにより損失される制御（／スケジューリング）情報関連‘ＣＯＤＥＤ  ＳＹＭＢＯＬ（Ｓ）’個数が相対的に少ないため）することができる。ここで、一例として、該当（制御（／スケジューリング）情報関連）‘ＣＯＤＥＤ  ＳＹＭＢＯＬ（Ｓ）’は、‘データ’より先にマッピングされるように設定（‘データ’が‘ＲＡＴＥ−ＭＡＴＣＨＩＮＧ’される形態）されるか、又はまず（／先に）マッピングされた‘データ’を‘ＰＵＮＣＴＵＲＩＮＧ’してマッピングされるように定義されることができる。
【０１３２】
図５５ないし図５８は、制御（／スケジューリング）情報関連‘ＣＯＤＥＤ  ＳＹＭＢＯＬ（Ｓ）’がマッピングされた一例である。
【０１３３】
さらに具体的に、ここで、一例として、図５５及び／又は図５６と図５７及び／又は図５８がそれぞれ図１２、図１３のケースに該当される。ここで、一例として、（ピギーバックされる）制御（／スケジューリング）情報関連‘ＣＯＤＥＤ  ＳＹＭＢＯＬ（Ｓ）’を‘３３’個と仮定した。ここで、一例として、制御（／スケジューリング）情報関連‘ＣＯＤＥＤ  ＳＹＭＢＯＬ（Ｓ）’がマッピングされる規則（／方向）、‘ＡＧＣ問題緩和’そして／あるいは‘（後行する）ＷＡＮ  ＵＬ  ＴＸ（ＳＦ）とのオーバーラップ防止’などの理由でパンクチャリングされるシンボル位置（／個数）、（制御（／スケジューリング）情報関連）‘ＣＯＤＥＤ  ＳＹＭＢＯＬ（Ｓ）’と‘データ’間のマッピング順序／パンクチャリング（／レートマッチング）方法などは、図５１ないし図５４の場合と同様に仮定した。
【０１３４】
図５９ないし図７３は、図１２の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【０１３５】
さらに具体的に、図５９ないし図７３は、図１２の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示を示す。ここで、一例として、（ピギーバックされる）制御（／スケジューリング）情報関連‘ＣＯＤＥＤ  ＳＹＭＢＯＬ（Ｓ）’を‘３９’個と仮定した。ここで、一例として、１番目のシンボル（‘ＳＹＭＢＯＬ＃０’）そして／あるいは最後のシンボル（‘ＳＹＭＢＯＬ＃１３’）は、‘ＡＧＣ問題緩和’そして／あるいは‘（後行する）ＷＡＮ  ＵＬ  ＴＸ（ＳＦ）とのオーバーラップ防止’などの理由でパンクチャリングされると（あるいは制御（／スケジューリング）情報関連‘ＣＯＤＥＤ  ＳＹＭＢＯＬ（Ｓ）’マッピング用途として利用されないと）仮定されうる。
【０１３６】
図７４ないし図８２は、図１３の場合に、場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示である。
【０１３７】
さらに具体的に、図７４ないし図８２は、図１３の場合に、（規則＃１−１）、（規則＃１−３）（／（規則＃１−２））に従って、制御（／スケジューリング）情報関連‘ＣＯＤＥＤ  ＳＹＭＢＯＬ（Ｓ）’がマッピングされる例示を示す。ここで、一例として、（ピギーバックされる）制御（／スケジューリング）情報関連‘ＣＯＤＥＤ  ＳＹＭＢＯＬ（Ｓ）’を‘３９’個と仮定した。ここで、一例として、１番目のシンボル（‘ＳＹＭＢＯＬ＃０’）そして／あるいは最後のシンボル（‘ＳＹＭＢＯＬ＃１３’）は、‘ＡＧＣ問題緩和’そして／あるいは‘（後行する）ＷＡＮ  ＵＬ  ＴＸ（ＳＦ）とのオーバーラップ防止’などの理由でパンクチャリングされたと（あるいは制御（／スケジューリング）情報関連‘ＣＯＤＥＤ  ＳＹＭＢＯＬ（Ｓ）’マッピング用途として利用されないと）仮定されうる。
【０１３８】
さらに他の一例として、（事前に定義（／シグナリング）された）相対的に高い優先順位の制御（／スケジューリング）情報（例えば、‘ＭＣＳ  ＩＮＤＥＸ（／ＭＯＤＵＬＡＴＩＯＮ  ＯＤＥＲ）’そして／あるいは‘ＴＢＳ  ＩＮＤＥＸ（／ＴＲＡＮＳＰＯＲＴ  ＢＬＯＣＫ  ＳＩＺＥ）’）は、図１５ないし図５０、図５９ないし図８２のように転送され、相対的に低い優先順位の制御（／スケジューリング）情報（あるいはその他の制御（／スケジューリング）情報）は、図５１ないし図５８のように転送されるように規則が定義されうる。
【０１３９】
さらに他の一例として、相対的に低い優先順位の制御（／スケジューリング）情報は、‘ＥＸＴＲＡ（／ＯＵＴＥＲ）−ＰＯＬＡＴＩＯＮ’基盤のチャネル推定が行われるシンボル上にマッピングされるようにし、相対的に高い優先順位の制御（／スケジューリング）情報は、‘ＩＮＴＲＡ−ＰＯＬＡＴＩＯＮ’基盤のチャネル推定が行われるシンボル上にマッピングされるように規則が定義されうる。
【０１４０】
図８３は、相対的に低い優先順位の制御（／スケジューリング）情報は、‘ＥＸＴＲＡ（／ＯＵＴＥＲ）−ＰＯＬＡＴＩＯＮ’基盤のチャネル推定が行われるシンボル上にマッピングされるようにし、相対的に高い優先順位の制御（／スケジューリング）情報は、‘ＩＮＴＲＡ−ＰＯＬＡＴＩＯＮ’基盤のチャネル推定が行われるシンボル上にマッピングされる一例を示すものである。
【０１４１】
さらに具体的に、図８３は、相対的に低い優先順位の制御（／スケジューリング）情報は、‘ＥＸＴＲＡ（／ＯＵＴＥＲ）−ＰＯＬＡＴＩＯＮ’基盤のチャネル推定が行われるシンボル上にマッピングされるようにし、相対的に高い優先順位の制御（／スケジューリング）情報は、‘ＩＮＴＲＡ−ＰＯＬＡＴＩＯＮ’基盤のチャネル推定が行われるシンボル上にマッピングされる規則が図２８の状況に適用された一例を示す。ここで、一例として、（ピギーバックされる）相対的に高い優先順位と低い優先順位の制御（／スケジューリング）情報関連‘ＣＯＤＥＤ  ＳＹＭＢＯＬ（Ｓ）’をそれぞれ‘２２’個、‘８’個と仮定した。
【０１４２】
さらに他の一例として、前記説明した提案方式において、特定チャネル（例えば、‘ＰＳＳＣＨ）を介して転送される‘（ピギーバックされる）制御（／スケジューリング）情報’は、‘データ’と異なる（事前に定義（／シグナリング）された）‘ＭＯＤＵＬＡＴＩＯＮ  ＯＤＥＲ’が適用（あるいは‘データ’のために決定された‘ＭＯＤＵＬＡＴＩＯＮ  ＯＤＥＲ’が同様に適用）されることができる。
【０１４３】
さらに他の一例として、前記提案技法のうち、どんな方法に基づいて制御（／スケジューリング）情報がピギーバックされるのかが基地局からシグナリング（例えば、‘ＳＩＢ／（ＤＥＤＩＣＡＴＥＤ）ＲＲＣ  ＳＩＧＮＡＬＩＮＧ）されるか、又は事前に定義されうる。追加的な一例として、特定制御（／スケジューリング）情報が前記提案技法のうち、どんな方法に基づいてピギーバックされるのかあるいは特定制御（／スケジューリング）情報がどの位置のシンボル上にピギーバックされるのかが基地局からシグナリングされるか、又は事前に定義されうる。ここで、一例として、該当規則が適用される場合、相異なる制御（／スケジューリング）情報別に適用される‘ピギーバック技法’あるいは‘ピギーバックされるシンボル位置’が異なりうる。
【０１４４】
また図１４に戻って、端末がマッピングされた前記コードされたシンボルを利用して、前記制御情報を転送する（Ｓ１４２０）。このとき、前記制御情報は、データと共にピギーバックされて（ＰＩＧＧＹＢＡＣＫＥＤ）転送される。このとき、端末が制御情報をデータと共にピギーバックする具体的な例は、前述のとおりである。
【０１４５】
前記説明した提案方式に対する一例もまた、本発明の具現方法のうち、いずれか一つとして含まれることができるので、一種の提案方式として見なされうることは明白な事実である。また、前記説明した提案方式は、独立的に具現されうるが、一部提案方式の組み合わせ（あるいは併合）形態により具現されうる。一例として、本発明では、説明の便宜のために３ＧＰＰ  ＬＴＥシステムに基づいて提案方式を説明したが、提案方式が適用されるシステムの範囲は、３ＧＰＰ  ＬＴＥシステムの他に他のシステムへも拡張可能である。一例として、本発明の提案方式は、Ｄ２Ｄ通信のためにも拡張適用可能である。ここで、一例として、Ｄ２Ｄ通信は、ＵＥが他のＵＥと直接無線チャネルを利用して通信するのを意味し、ここで、一例としてＵＥは、ユーザの端末を意味するが、基地局のようなネットワーク装備がＵＥ間の通信方式に応じて信号を送／受信する場合もやはり、一種のＵＥとして見なされることができる。一例として、前記説明した提案方式は、ＭＯＤＥ２（Ｖ２Ｘ（／Ｄ２Ｄ））ＣＯＭＭＵＮＩＣＡＴＩＯＮそして／あるいはＴＹＰＥ１（Ｖ２Ｘ（／Ｄ２Ｄ））ＤＩＳＣＯＶＥＲＹ（そして／あるいはＭＯＤＥ１（Ｖ２Ｘ（／Ｄ２Ｄ））ＣＯＭＭＵＮＩＣＡＴＩＯＮそして／あるいはＴＹＰＥ２（Ｖ２Ｘ（／Ｄ２Ｄ））ＤＩＳＣＯＶＥＲＹ）のみに限定的に適用されるように規則が定義されうる。また、一例として、前記説明した提案方式は、ＩＮ−ＣＯＶＥＲＡＧＥ  Ｄ２Ｄ（／Ｖ２Ｘ）ＵＥ（そして／あるいはＯＵＴ−ＣＯＶＥＲＡＧＥ  Ｄ２Ｄ（／Ｖ２Ｘ）ＵＥ）（そして／あるいはＲＲＣ＿ＣＯＮＮＥＣＴＥＤ  Ｄ２Ｄ（／Ｖ２Ｘ）ＵＥ（そして／あるいはＲＲＣ＿ＩＤＬＥ  Ｄ２Ｄ（／Ｖ２Ｘ）ＵＥ）そして／あるいはＲＥＬＡＹ  Ｄ２Ｄ（／Ｖ２Ｘ）ＵＥ（そして／あるいは（ＲＥＬＡＹ通信に参加する）ＲＥＭＯＴＥ（Ｄ２Ｄ（／Ｖ２Ｘ））ＵＥ））のみに限定的に適用されるように規則が定義されうる。さらに他の一例として、前記説明した提案方式は、‘ＰＥＲＩＯＤＩＣ  Ｖ２Ｘ  ＭＥＳＳＡＧＥ転送動作’（あるいは‘ＥＶＥＮＴ−ＴＲＩＧＧＥＲＥＤ  Ｖ２Ｘ  ＭＥＳＳＡＧＥ転送動作’）のみに限定的に適用されるように規則が定義されうる。
【０１４６】
図８４は、本発明の実施形態が具現される端末を示したブロック図である。
【０１４７】
図８４を参照すると、端末１１００は、プロセッサ１１１０、メモリ１１２０及びＲＦ部（ｒａｄｉｏ  Ｆｒｅｑｕｅｎｃｙ  ｕｎｉｔ）１１３０を含む。
【０１４８】
一実施形態によれば、プロセッサ１１１０は、本発明が説明する機能／動作／方法を実施できる。例えば、プロセッサ１１１０は、制御情報に関連したコードされたシンボル（ＣＯＤＥＤ  ＳＹＭＢＯＬ）をサブフレーム上にマッピングできる。また、プロセッサ１１１０がマッピングされた前記コードされたシンボルを利用して、前記制御情報を転送するものの、前記制御情報は、データと共にピギーバックされて転送される。
【０１４９】
ＲＦ部１１３０は、プロセッサ１１１０に接続されて無線信号を送信及び受信する。
【０１５０】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含むことができる。メモリは、ＲＯＭ（ｒｅａｄ−ｏｎｌｙ  ｍｅｍｏｒｙ）、ランダムアクセスメモリ（ｒａｎｄｏｍ  ａｃｃｅｓｓ  ｍｅｍｏｒｙ）、フラッシュメモリ、メモリカード、格納媒体及び／又は他の格納装置を含むことができる。ＲＦ部は、無線信号を処理するためのベースバンド回路を含むことができる。実施形態がソフトウェアにより具現化される時、上述の技法は、上述の機能を行うモジュール（過程、機能など）により具現化されることができる。モジュールは、メモリに格納され、プロセッサにより実行されることができる。メモリは、プロセッサ内部又は外部にあることができ、周知の多様な手段によりプロセッサに接続されることができる。
【図１】
0006942812.tif 000003
【図２】
0006942812.tif 000004
【図３】
0006942812.tif 000005
【図４】
0006942812.tif 000006
【図５】
0006942812.tif 000007
【図６】
0006942812.tif 000008
【図７】
0006942812.tif 000009
【図８】
0006942812.tif 000010
【図９】
0006942812.tif 000011
【図１０】
0006942812.tif 000012
【図１１】
0006942812.tif 000013
【図１２】
0006942812.tif 000014
【図１３】
0006942812.tif 000015
【図１４】
0006942812.tif 000016
【図１５】
0006942812.tif 000017
【図１６】
0006942812.tif 000018
【図１７】
0006942812.tif 000019
【図１８】
0006942812.tif 000020
【図１９】
0006942812.tif 000021
【図２０】
0006942812.tif 000022
【図２１】
0006942812.tif 000023
【図２２】
0006942812.tif 000024
【図２３】
0006942812.tif 000025
【図２４】
0006942812.tif 000026
【図２５】
0006942812.tif 000027
【図２６】
0006942812.tif 000028
【図２７】
0006942812.tif 000029
【図２８】
0006942812.tif 000030
【図２９】
0006942812.tif 000031
【図３０】
0006942812.tif 000032
【図３１】
0006942812.tif 000033
【図３２】
0006942812.tif 000034
【図３３】
0006942812.tif 000035
【図３４】
0006942812.tif 000036
【図３５】
0006942812.tif 000037
【図３６】
0006942812.tif 000038
【図３７】
0006942812.tif 000039
【図３８】
0006942812.tif 000040
【図３９】
0006942812.tif 000041
【図４０】
0006942812.tif 000042
【図４１】
0006942812.tif 000043
【図４２】
0006942812.tif 000044
【図４３】
0006942812.tif 000045
【図４４】
0006942812.tif 000046
【図４５】
0006942812.tif 000047
【図４６】
0006942812.tif 000048
【図４７】
0006942812.tif 000049
【図４８】
0006942812.tif 000050
【図４９】
0006942812.tif 000051
【図５０】
0006942812.tif 000052
【図５１】
0006942812.tif 000053
【図５２】
0006942812.tif 000054
【図５３】
0006942812.tif 000055
【図５４】
0006942812.tif 000056
【図５５】
0006942812.tif 000057
【図５６】
0006942812.tif 000058
【図５７】
0006942812.tif 000059
【図５８】
0006942812.tif 000060
【図５９】
0006942812.tif 000061
【図６０】
0006942812.tif 000062
【図６１】
0006942812.tif 000063
【図６２】
0006942812.tif 000064
【図６３】
0006942812.tif 000065
【図６４】
0006942812.tif 000066
【図６５】
0006942812.tif 000067
【図６６】
0006942812.tif 000068
【図６７】
0006942812.tif 000069
【図６８】
0006942812.tif 000070
【図６９】
0006942812.tif 000071
【図７０】
0006942812.tif 000072
【図７１】
0006942812.tif 000073
【図７２】
0006942812.tif 000074
【図７３】
0006942812.tif 000075
【図７４】
0006942812.tif 000076
【図７５】
0006942812.tif 000077
【図７６】
0006942812.tif 000078
【図７７】
0006942812.tif 000079
【図７８】
0006942812.tif 000080
【図７９】
0006942812.tif 000081
【図８０】
0006942812.tif 000082
【図８１】
0006942812.tif 000083
【図８２】
0006942812.tif 000084
【図８３】
0006942812.tif 000085
【図８４】
0006942812.tif 000086